(57)【要約】【課題】本発明は、光ディスク装置、光ディスクの記録方法、光ディスクの記録方法のプログラム及び光ディスクの記録方法のプログラムを記録した記録媒体に関し、例えばＤＶＤ（Ｄｉｇｉｔａｌ　Ｖｅｒｓａｔｉｌｅ　Ｄｉｓｋ）装置に適用して、ＤＶＤビデオフォーマットと互換性を維持しつつ、動画ファイル以外の静止画ファイル等についても記録することができるようにする。【解決手段】本発明は、光ディスクの情報記録面に、ＵＤＦ領域と、ＤＶＤビデオ用領域と、拡張ファイル用領域とを設定し、拡張ファイル、拡張ファイルの再生に必要な情報を拡張ファイル用領域に記録する。【選択図】　　　　図１
2004022043.tif 000002
【特許請求の範囲】
【請求項１】
制御手段により記録系の動作を制御して所望のファイルを光ディスクに記録すると共に、前記ファイルの再生に必要な情報を生成して前記光ディスクに記録する光ディスク装置において、
前記制御手段は、
コンピュータによるファイル管理システムを記録するＵＤＦ領域と、
ＤＶＤビデオフォーマットのファイル管理システムと、前記ファイル管理システムにより管理される複数の動画ファイルと、前記複数の動画ファイルの少なくとも記録位置を示すタイトル管理情報と、前記タイトル管理情報のバックアップ用情報とを記録するＤＶＤビデオ用領域と、
前記動画ファイル以外の拡張ファイルを記録する拡張ファイル用領域とを前記光ディスクの情報記録面に設定して前記情報記録面を管理し、
前記ＤＶＤビデオ用領域に、前記動画ファイルを順次記録すると共に、前記拡張ファイル用領域に、前記タイトル管理情報の生成に必要な管理情報を記録し、前記拡張ファイル、該拡張ファイルの少なくとも記録位置を示す拡張管理情報を前記拡張ファイル用領域に記録する
ことを特徴とする光ディスク装置。
【請求項２】
前記制御手段は、
前記拡張ファイル用領域に記録された前記管理情報、前記拡張管理情報により、前記動画ファイル、前記拡張ファイルを再生する
ことを特徴とする請求項１に記載の光ディスク装置。
【請求項３】
前記制御手段は、
前記拡張ファイル用領域に記録された前記管理情報、前記拡張管理情報に基づいて、前記動画ファイル、前記拡張ファイルを追記する
ことを特徴とする請求項１に記載の光ディスク装置。
【請求項４】
前記制御手段は、
前記拡張ファイル用領域に記録された前記管理情報、前記拡張管理情報に基づいて、前記ＵＤＦ領域に前記コンピュータによるファイル管理システムを記録すると共に、
前記拡張ファイル用領域に記録された前記管理情報に基づいて、前記ＤＶＤビデオ用領域に、ＤＶＤビデオフォーマットのファイル管理システム、前記タイトル管理情報、前記バックアップ用情報を記録し、
リードイン、リードアウトを形成する
ことを特徴とする請求項１に記載の光ディスク装置。
【請求項５】
前記制御手段は、
前記情報記録面を、内周側より、第１、第２、第３の領域に分割して管理し、
前記ＵＤＦ領域が、前記第１の領域の先頭領域であり、
前記ＤＶＤビデオ用領域が、残る前記第１の領域と前記第２の領域とであり、
前記拡張ファイル用領域が、前記第３の領域である
ことを特徴とする請求項１に記載の光ディスク装置。
【請求項６】
前記制御手段は、
前記情報記録面を、内周側より、第１、第２、第３の領域に分割して管理し、
前記ＵＤＦ領域が、前記第１の領域であり、
前記ＤＶＤビデオ用領域が、前記第２の領域の末尾側領域と前記第３の領域とであり、
前記拡張ファイル用領域が、前記第２の領域の先頭側領域である
ことを特徴とする請求項１に記載の光ディスク装置。
【請求項７】
前記制御手段は、
パディングにより前記情報記録面の内周側に領域を確保し、
前記ＵＤＦ領域が、前記パディングによる領域の先頭側領域であり、
前記拡張ファイル用領域が、前記ＵＤＦ領域に続く前記パディングによる先頭側領域であり、
前記ＤＶＤビデオ用領域が、前記パディングによる残る領域と続く領域とである
ことを特徴とする請求項１に記載の光ディスク装置。
【請求項８】
前記制御手段は、
パディングにより前記情報記録面の内周側に領域を確保し、
前記ＵＤＦ領域が、前記パディングによる領域の先頭領域であり、
前記ＤＶＤビデオ用領域が、前記パディングによる領域の残る領域であり、
前記拡張ファイル用領域が、前記パディングの領域に続く領域である
ことを特徴とする請求項１に記載の光ディスク装置。
【請求項９】
コンピュータによるファイル管理システムを記録するＵＤＦ領域と、
ＤＶＤビデオフォーマットのファイル管理システムと、前記ファイル管理システムにより管理される複数の動画ファイルと、前記複数の動画ファイルの少なくとも記録位置を示すタイトル管理情報と、前記タイトル管理情報のバックアップ用情報とを記録するＤＶＤビデオ用領域と、
前記動画ファイル以外の拡張ファイルを記録する拡張ファイル用領域とを前記光ディスクの情報記録面に設定する領域設定ステップと、
前記ＤＶＤビデオ用領域に、前記動画ファイルを順次記録すると共に、前記拡張ファイル用領域に、前記タイトル管理情報の生成に必要な管理情報を記録する動画ファイル記録ステップと、
前記拡張ファイル、該拡張ファイルの少なくとも記録位置を示す拡張管理情報を前記拡張ファイル用領域に記録する拡張ファイル記録ステップと
を有することを特徴とする光ディスクの記録方法。
【請求項１０】
前記拡張ファイル用領域に記録された前記管理情報、前記拡張管理情報により、前記動画ファイル、前記拡張ファイルを再生する再生ステップを有する
ことを特徴とする請求項９に記載の光ディスクの記録方法。
【請求項１１】
前記拡張ファイル用領域に記録された前記管理情報、前記拡張管理情報に基づいて、前記動画ファイル、前記拡張ファイルを追記する追記ステップを有する
ことを特徴とする請求項９に記載の光ディスクの記録方法。
【請求項１２】
前記拡張ファイル用領域に記録された前記管理情報、前記拡張管理情報に基づいて、前記ＵＤＦ領域に前記コンピュータによるファイル管理システムを記録すると共に、
前記拡張ファイル用領域に記録された前記管理情報に基づいて、前記ＤＶＤビデオ用領域に、ＤＶＤビデオフォーマットのファイル管理システム、前記タイトル管理情報、前記バックアップ用情報を記録し、
リードイン、リードアウトを形成するファイナライズ処理のステップを有する
ことを特徴とする請求項９に記載の光ディスクの記録方法。
【請求項１３】
前記領域設定ステップは、
前記情報記録面に、内周側より、第１、第２、第３の領域を設定し、
前記ＵＤＦ領域が、前記第１の領域の先頭領域であり、
前記ＤＶＤビデオ用領域が、残る前記第１の領域と前記第２の領域とであり、
前記拡張ファイル用領域が、前記第３の領域である
ことを特徴とする請求項９に記載の光ディスクの記録方法。
【請求項１４】
前記領域設定ステップは、
前記情報記録面に、内周側より、第１、第２、第３の領域を設定し、
前記ＵＤＦ領域が、前記第１の領域であり、
前記ＤＶＤビデオ用領域が、前記第２の領域の末尾側領域と前記第３の領域とであり、
前記拡張ファイル用領域が、前記第２の領域の先頭側領域である
ことを特徴とする請求項９に記載の光ディスクの記録方法。
【請求項１５】
前記領域設定ステップは、
パディングにより前記情報記録面の内周側に領域を確保し、
前記ＵＤＦ領域が、前記パディングによる領域の先頭側領域であり、
前記拡張ファイル用領域が、前記ＵＤＦ領域に続く前記パディングによる先頭側領域であり、
前記ＤＶＤビデオ用領域が、前記パディングによる残る領域と続く領域とである
ことを特徴とする請求項９に記載の光ディスクの記録方法。
【請求項１６】
前記領域設定ステップは、
パディングにより前記情報記録面の内周側に領域を確保し、
前記ＵＤＦ領域が、前記パディングによる領域の先頭領域であり、
前記ＤＶＤビデオ用領域が、前記パディングによる領域の残る領域であり、
前記拡張ファイル用領域が、前記パディングの領域に続く領域である
ことを特徴とする請求項９に記載の光ディスクの記録方法。
【請求項１７】
コンピュータによるファイル管理システムを記録するＵＤＦ領域と、
ＤＶＤビデオフォーマットのファイル管理システムと、前記ファイル管理システムにより管理される複数の動画ファイルと、前記複数の動画ファイルの少なくとも記録位置を示すタイトル管理情報と、前記タイトル管理情報のバックアップ用情報とを記録するＤＶＤビデオ用領域と、
前記動画ファイル以外の拡張ファイルを記録する拡張ファイル用領域とを前記光ディスクの情報記録面に設定する領域設定ステップと、
前記ＤＶＤビデオ用領域に、前記動画ファイルを順次記録すると共に、前記拡張ファイル用領域に、前記タイトル管理情報の生成に必要な管理情報を記録する動画ファイル記録ステップと、
前記拡張ファイル、該拡張ファイルの少なくとも記録位置を示す拡張管理情報を前記拡張ファイル用領域に記録する拡張ファイル記録ステップと
を有することを特徴とする光ディスクの記録方法のプログラム。
【請求項１８】
前記拡張ファイル用領域に記録された前記管理情報、前記拡張管理情報に基づいて、前記ＵＤＦ領域に前記コンピュータによるファイル管理システムを記録すると共に、
前記拡張ファイル用領域に記録された前記管理情報に基づいて、前記ＤＶＤビデオ用領域に、ＤＶＤビデオフォーマットのファイル管理システム、前記タイトル管理情報、前記バックアップ用情報を記録し、
リードイン、リードアウトを形成するファイナライズ処理のステップを有する
ことを特徴とする請求項１７に記載の光ディスクの記録方法のプログラム。
【請求項１９】
光ディスクの記録方法のプログラムを記録した記録媒体において、
前記光ディスクの記録方法のプログラムは、
コンピュータによるファイル管理システムを記録するＵＤＦ領域と、
ＤＶＤビデオフォーマットのファイル管理システムと、前記ファイル管理システムにより管理される複数の動画ファイルと、前記複数の動画ファイルの少なくとも記録位置を示すタイトル管理情報と、前記タイトル管理情報のバックアップ用情報とを記録するＤＶＤビデオ用領域と、
前記動画ファイル以外の拡張ファイルを記録する拡張ファイル用領域とを前記光ディスクの情報記録面に設定する領域設定ステップと、
前記ＤＶＤビデオ用領域に、前記動画ファイルを順次記録すると共に、前記拡張ファイル用領域に、前記管理情報の生成に必要な管理情報を記録する動画ファイル記録ステップと、
前記動画以外の拡張ファイル、該拡張ファイルの少なくとも記録位置を示す拡張管理情報を前記拡張ファイル用領域に記録する拡張ファイル記録ステップと
を有することを特徴とする光ディスクの記録方法のプログラムを記録した記録媒体。
【請求項２０】
前記拡張ファイル用領域に記録された前記管理情報、前記拡張管理情報に基づいて、前記ＵＤＦ領域に前記コンピュータによるファイル管理システムを記録すると共に、
前記拡張ファイル用領域に記録された前記管理情報に基づいて、前記ＤＶＤビデオ用領域に、ＤＶＤビデオフォーマットのファイル管理システム、前記タイトル管理情報、前記バックアップ用情報を記録し、
リードイン、リードアウトを形成するファイナライズ処理のステップを有することを特徴とする請求項１９に記載の光ディスクの記録方法のプログラムを記録した記録媒体。
【発明の詳細な説明】
【０００１】
【発明の属する技術分野】
本発明は、光ディスク装置、光ディスクの記録方法、光ディスクの記録方法のプログラム及び光ディスクの記録方法のプログラムを記録した記録媒体に関し、例えばＤＶＤ（Ｄｉｇｉｔａｌ　Ｖｅｒｓａｔｉｌｅ　Ｄｉｓｋ）装置に適用することができる。本発明は、光ディスクの情報記録面に、ＵＤＦ領域と、ＤＶＤビデオ用領域と、拡張ファイル用領域とを設定し、拡張ファイル、拡張ファイルの再生に必要な拡張管理情報を拡張ファイル用領域に記録することにより、ＤＶＤビデオフォーマットと互換性を維持しつつ、動画ファイル以外の静止画ファイル等についても記録することができるようにする。
【０００２】
【従来の技術】
従来、大容量の光ディスクであるＤＶＤにおいて、書き込み可能な光ディスクは、１回のみ書き込み可能なＤＶＤ−Ｒ（ＤＶＤ−Ｒｅｃｏｒｄａｂｌｅ）、追記可能なＤＶＤ−ＲＷ（ＤＶＤ−Ｒｅｗｒｉｔａｎｌｅ）、ＤＶＤ−ＲＡＭ（ＤＶＤ−Ｒａｎｄｏｍ　Ａｃｃｅｓｓ　Ｍｅｍｏｒｙ）が提供されるようになされている。これらの光ディスクのうち、ＤＶＤ−Ｒ、ＤＶＤ−ＲＷは、ＤＶＤビデオフォーマットに準拠したフォーマットでビデオデータを記録することにより、再生専用のＤＶＤプレイヤー、コンピュータでも再生できるようになされている。
【０００３】
図１１は、このＤＶＤビデオフォーマットによる光ディスクの論理フォーマットを示す図表である。このフォーマットによる光ディスクは、情報記録面が、先頭側である最内側よりリードイン（Ｌｅａｄ　ｉｎ　）、データゾーン（Ｄａｔａ　Ｚｏｎｅ　）、リードアウト（Ｌｅａｄ　ｏｕｔ）に区切られ（図１１（Ａ））、データゾーンに所望のビデオデータ等が記録される。
【０００４】
ここでデータゾーンは、リードイン側より、ＵＤＦ−ｂｒｉｄｇｅ領域（ファイルシステムエリア（以下、適宜、ＵＤＦと呼ぶ））Ａ１、ＶＭＧ（Ｖｉｄｅｏ　Ｍａｎａｇｅｒ　）領域（ＤＶＤ管理用情報エリア）Ａ２、リアルタイムデータ記録エリアＡ３に区分される。ＵＤＦ領域及びＶＭＧ領域は、この光ディスクに記録されたビデオデータによるファイルを管理する管理用情報記録領域である。これらのＵＤＦ領域及びＶＭＧ領域のうち、ＶＭＧ領域は、ＤＶＤプレイヤーに対応する領域であり、リアルタイムデータ記録エリアＡ３に記録されたビデオデータ全体を管理する管理用情報であるＴＯＣの情報が記録される。これに対してＵＤＦ領域Ａ１は、コンピュータによるファイル管理システムに対応する領域であり、コンピュータにおけるファイルシステムとの互換を図るフォーマットによりリアルタイムデータ記録エリアＡ３に記録したビデオデータ全体を管理する管理用情報が記録される。具体的に、ＵＤＦ領域は、ＩＳＯ（Ｉｎｔｅｒｎａｔｉｏｎａｌ　Ｏｒｇａｎｉｚａｔｉｏｎ　ｆｏｒ　Ｓｔａｎｄａｒｄｉｚａｔｉｏｎ）９６６０とＵＤＦ（Ｕｎｉｖｅｒｓａｌ　Ｄｉｓｋ　Ｆｏｒｍａｔ　）Ｖｅｒ１．０２　によるファイル管理システムの領域である。
【０００５】
リアルタイムデータ記録エリアＡ３は、実データを記録するプログラムエリアであり、ＶＴＳ（Ｖｉｄｅｏ　Ｔｉｔｌｅ　Ｓｅｔ　）（以下、適宜、タイトルと呼ぶ）を単位にして、ビデオデータが記録される（図１１（Ｂ））。ここでＶＴＳは、先頭側より、ＶＴＳＩ（Ｖｉｄｅｏ　Ｔｉｔｌｅ　Ｓｅｔ　Ｉｎｆｏｒｍａｔｉｏｎ　）、ＶＴＳＭ　ＶＯＢＳ（Ｖｉｄｅｏ　Ｏｂｊｅｃｔ　Ｓｅｔ　ｆｏｒ　ｔｈｅ　ＶＴＳＭ　）、ＶＴＳＴＴ　ＶＯＢＳ（Ｖｉｄｅｏ　Ｏｂｊｅｃｔ　ＳｅｔＦｏｒ　Ｔｉｔｌ　ｅｓ　ｉｎ　ａ　ＶＴＳ）　　、ＶＴＳＩ　ＢＵＰ（Ｂａｃｋｕｐ　ｏｆ　ＶＴＳＩ）により構成される（図１１（Ｃ））。ＶＴＳＴＴ　ＶＯＢＳには、実データであるＭＰＥＧ（Ｍｏｖｉｎｇ　Ｐｉｃｔｕｒｅ　Ｅｘｐｅｒｔｓ　Ｇｒｏｕｐ）２のフォーマットによるビデオデータが記録され、ＶＴＳＩは、タイトルの再生に必要なタイトル管理情報であり、実データによるビデオデータを管理する管理用情報である記録位置情報等が記録される。ＶＴＳＭ
ＶＯＢＳには、ビデオデータのタイトルメニューが記録される。なおＶＴＳＭ
ＶＯＢＳは、オプションである。ＶＴＳＩ　ＢＵＰは、ＶＴＳＩのバックアップである。
【０００６】
これらによりこの種の光ディスクにおいては、コンピュータによりアクセスする場合は、ＵＤＦにより所望するファイルを検索して再生することができるようになされ、ＤＶＤプレイヤーによりアクセスする場合には、ＶＭＧにより所望するファイルを検索して再生することができるようになされている。これによりＵＤＦは、コンピュータのファイル管理システムに対応して光ディスクに記録されたビデオデータの管理用情報を構成するのに対し、ＶＭＧは、ＤＶＤプレイヤーに対応して光ディスクに記録されたビデオデータの管理用情報を構成するようになされている。
【０００７】
このような光ディスクにビデオデータを書き込む方式としては、Ｉｎｃｒｅｍｅｎｔａｌ　Ｒｅｃｏｒｄｉｎｇ　方式（以下、ＩＮＣ方式と呼ぶ）、Ｒｅｓｔｒｉｃｔｅｄ　Ｏｖｅｒ　Ｗｒｉｔｅ　方式（以下、ＲＯＷ方式と呼ぶ）が使用されるようになされている。ここでＩＮＣ方式は、シーケンシャルにビデオデータを記録する方式であり、ＲＯＷ方式は、上書き可能な光ディスクに適用される方式である。但し、ＲＯＷ方式においても、未記録領域にデータを記録する場合には、シーケンシャルにビデオデータを記録する。これらＩＮＣ方式及びＲＯＷ方式においては、リードインの内周側に設けられたＲＭＡ（Ｒｅｃｏｒｄｉｎｇ　Ｍａｎａｇｅｍｅｎｔ　Ａｒｅａ　）により、後述するパディング等による領域が管理されるようになされている。
【０００８】
図１２は、ＩＮＣ方式による記録手順を示す図表である。ＩＮＣ方式においては、一度に書き込むエリアは最大３つまでと定義されており、このエリアをそれぞれＲｚｏｎｅと呼び、各ＲｚｏｎｅをＲＭＡで管理する。
【０００９】
動画を記録する場合、ＩＮＣ方式においては、始めにＲｚｏｎｅを予約する（図１２（Ａ））。ここでＲｚｏｎｅの予約は、管理用情報の記録領域であるＵＤＦ領域、ＶＭＧ領域を形成するＲｚｏｎｅ１の領域を定義し、続いてリアルタイムデータ記録エリアを形成する未記録領域に、先頭のＶＴＳのＶＴＳＩ、ＶＴＳＭ　ＶＯＢＳを形成するＲｚｏｎｅ２の領域を定義し、残る未記録領域をＩｎｖｉｓｉｂｌｅ　Ｒｚｏｎｅの領域と定義して実行される。ＩＮＣ方式は、このＲｚｏｎｅ１、Ｒｚｏｎｅ２の予約により、管理用情報の記録領域を確保し、また先頭のＶＴＳのＶＴＳＩ、ＶＴＳＭ　ＶＯＢＳを形成する領域を確保するようになされている。
【００１０】
ＩＮＣ方式においては、Ｉｎｖｉｓｉｂｌｅ　Ｒｚｏｎｅの先頭側より順次ビデオデータを記録することにより、実データによるＶＴＳＴＴ　ＶＯＢＳを形成する。さらにユーザーの指示により、１つのタイトルについて実データの記録が完了すると、この実データの記録に続いてＶＴＳＩ　ＢＵＰを記録し（図１２（Ｂ））、また先頭側に戻ってＲｚｏｎｅ２にＶＴＳＩ、ＶＴＳＭ　ＶＯＢＳを形成し（図１２（Ｃ））、Ｒｚｏｎｅ２を閉じる。これによりＩＮＣ方式においては、１つのＶＴＳを光ディスクに記録する。
【００１１】
また続けて次のタイトルを記録する場合、ＩＮＣ方式においては、残りの未記録領域にＲｚｏｎｅ３を予約してＶＴＳＩ、ＶＴＳＭ　ＶＯＢＳの領域を確保し、Ｉｎｖｉｓｉｂｌｅ　Ｒｚｏｎｅを定義する（図１２（Ｄ））。さらに続いて、実データの記録によりＶＴＳＴＴ　ＶＯＢＳを形成した後、ＶＴＳＩ　ＢＵＰを形成し（図１２（Ｅ））、先に確保した領域にＶＴＳＩ、ＶＴＳＭ　ＶＯＢＳを形成する（図１２（Ｆ））。これにより光ディスクでは、続くＶＴＳが記録される（図１２（Ｇ））。ＩＮＣ方式においては、引き続きタイトルを記録する場合、同様に未記録領域を定義して順次ＶＴＳを記録する。
【００１２】
これに対してこのようにＶＴＳを順次記録して、リアルタイムデータ記録エリアが形成されてなる光ディスクについて、ＩＮＣ方式においては、ファイナライズの処理によりＵＤＦ領域、ＶＭＧ領域を形成し、さらにリードイン、リードアウトを形成し（図１２（Ｈ））、これにより再生専用の光ディスクとの互換性が図られる。なおこのＵＤＦ領域、ＶＭＧ領域の形成においては、各タイトルのＶＴＳＩ、ＶＴＳＭ　ＶＯＢＳのデータより、ＵＤＦ、ＶＭＧのデータを生成し、このデータをＲｚｏｎｅ１に記録してＲｚｏｎｅ１を閉じることにより実行される。
【００１３】
これに対して図１３は、ＲＯＷ方式による記録手順を示す図表である。ＲＯＷ方式においては、リードイン、ＵＤＦ、ＶＭＧ、先頭タイトルのＶＴＳＩ、ＶＴＳＭ　ＶＯＢＳの記録領域をパディングにより事前に確保する（図１３（Ａ））。ここでパディングは、ＮＵＬＬ等のダミーデータを記録して領域を確保する処理である。
【００１４】
このようにしてこれらの領域を確保すると、ＲＯＷ方式においては、順次ビデオデータを記録することにより、実データによるＶＴＳＴＴ　ＶＯＢＳを形成し（図１３（Ｂ））、１つのタイトルについて実データの記録が完了すると、続いてＶＴＳＩ　ＢＵＰを記録し、さらに続くタイトルのＶＴＳＩ、ＶＴＳＭ　ＶＯＢＳの記録領域の確保のために、パディングの処理を実行する（図１３（Ｂ））。また続いて先頭側に戻ってこの実データの記録に対応するＶＴＳＩ、ＶＴＳＭＶＯＢＳを形成する（図１３（Ｃ））。これによりＲＯＷ方式においては、１つのＶＴＳを光ディスクに記録する。
【００１５】
また続けて次のタイトルを記録する場合、ＲＯＷ方式においては、直前のＶＴＳにより形成したパディングの領域に続いて、実データの記録によりＶＴＳＴＴ
ＶＯＢＳ、ＶＴＳＩ　ＢＵＰを形成し、続くタイトルのＶＴＳＩ、ＶＴＳＭ
ＶＯＢＳの記録領域の確保のために、パディングの処理を実行する（図１３（Ｄ））。また続いてＶＴＳＩ、ＶＴＳＭ　ＶＯＢＳを形成し（図１３（Ｅ））、これにより続くＶＴＳを光ディスクに記録する（図１３（Ｆ））。ＲＯＷ方式においては、引き続きタイトルを記録する場合、同様にパディング等の処理を実行して順次ＶＴＳを記録する。
【００１６】
これに対してこのようにＶＴＳを順次記録して、リアルタイムデータ記録エリアが形成されてなる光ディスクについて、ＲＯＷ方式においては、ＩＮＣ方式と同様のファイナライズの処理によりＵＤＦ領域、ＶＭＧ領域を形成し、さらにリードイン、リードアウトを形成し（図１３（Ｈ））、これにより再生専用の光ディスクとの互換性が図られるようになされている。
【００１７】
【発明が解決しようとする課題】
ところでこのような光ディスクにおいては、磁気テープに代えて、携帯型のビデオレコーダに適用することが考えられる。この場合、従来の携帯型のビデオレコーダにおいては、動画だけでなく、静止画についても記録することができるものがあることにより、この種の光ディスクにおいても、動画以外の静止画等について、記録できることが望まれる。
【００１８】
因みに、上述したフォーマットにおいては、この種のファイルの記録については何ら考慮されておらず、これにより結局、静止画等にあっては、メモリに保持し、別の記録媒体に別途記録することが必要になる。
【００１９】
本発明は以上の点を考慮してなされたもので、ＤＶＤビデオフォーマットと互換性を維持しつつ、動画ファイル以外の静止画ファイル等についても記録することができる光ディスク装置、光ディスクの記録方法、光ディスクの記録方法のプログラム及び光ディスクの記録方法を記録した記録媒体を提案しようとするものである。
【００２０】
【課題を解決するための手段】
かかる課題を解決するため請求項１の発明においては、制御手段により記録系の動作を制御して所望のファイルを光ディスクに記録すると共に、ファイルの再生に必要な情報を生成して光ディスクに記録する光ディスク装置に適用して、制御手段は、コンピュータによるファイル管理システムを記録するＵＤＦ領域と、ＤＶＤビデオフォーマットのファイル管理システムと、ファイル管理システムにより管理される複数の動画ファイルと、複数の動画ファイルの少なくとも記録位置を示すタイトル管理情報と、タイトル管理情報のバックアップ用情報とを記録するＤＶＤビデオ用領域と、動画ファイル以外の拡張ファイルを記録する拡張ファイル用領域とを光ディスクの情報記録面に設定して情報記録面を管理し、ＤＶＤビデオ用領域に、動画ファイルを順次記録すると共に、拡張ファイル用領域に、タイトル管理情報の生成に必要な管理情報を記録し、拡張ファイル、該拡張ファイルの少なくとも記録位置を示す拡張管理情報を拡張ファイル用領域に記録する。
【００２１】
また請求項９の発明においては、光ディスクの記録方法に適用して、コンピュータによるファイル管理システムを記録するＵＤＦ領域と、ＤＶＤビデオフォーマットのファイル管理システムと、ファイル管理システムにより管理される複数の動画ファイルと、複数の動画ファイルの少なくとも記録位置を示すタイトル管理情報と、タイトル管理情報のバックアップ用情報とを記録するＤＶＤビデオ用領域と、動画ファイル以外の拡張ファイルを記録する拡張ファイル用領域とを光ディスクの情報記録面に設定する領域設定ステップと、ＤＶＤビデオ用領域に、動画ファイルを順次記録すると共に、拡張ファイル用領域に、管理情報の生成に必要な管理情報を記録する動画ファイル記録ステップと、拡張ファイル、該拡張ファイルの少なくとも記録位置を示す拡張管理情報を拡張ファイル用領域に記録する拡張ファイル記録ステップとを有するようにする。
【００２２】
また請求項１７の発明においては、光ディスクの記録方法のプログラムに適用して、コンピュータによるファイル管理システムを記録するＵＤＦ領域と、ＤＶＤビデオフォーマットのファイル管理システムと、ファイル管理システムにより管理される複数の動画ファイルと、複数の動画ファイルの少なくとも記録位置を示すタイトル管理情報と、タイトル管理情報のバックアップ用情報とを記録するＤＶＤビデオ用領域と、動画ファイル以外の拡張ファイルを記録する拡張ファイル用領域とを光ディスクの情報記録面に設定する領域設定ステップと、ＤＶＤビデオ用領域に、動画ファイルを順次記録すると共に、拡張ファイル用領域に、タイトル管理情報の生成に必要な管理情報を記録する動画ファイル記録ステップと、拡張ファイル、該拡張ファイルの少なくとも記録位置を示す拡張管理情報を拡張ファイル用領域に記録する拡張ファイル記録ステップとを有するようにする。
【００２３】
また請求項１９の発明においては、光ディスクの記録方法のプログラムを記録した記録媒体に適用して、この光ディスクの記録方法のプログラムは、コンピュータによるファイル管理システムを記録するＵＤＦ領域と、ＤＶＤビデオフォーマットのファイル管理システムと、ファイル管理システムにより管理される複数の動画ファイルと、複数の動画ファイルの少なくとも記録位置を示すタイトル管理情報と、タイトル管理情報のバックアップ用情報とを記録するＤＶＤビデオ用領域と、動画ファイル以外の拡張ファイルを記録する拡張ファイル用領域とを光ディスクの情報記録面に設定する領域設定ステップと、ＤＶＤビデオ用領域に、動画ファイルを順次記録すると共に、拡張ファイル用領域に、タイトル管理情報の生成に必要な管理情報を記録する動画ファイル記録ステップと、拡張ファイル、該拡張ファイルの少なくとも記録位置を示す拡張管理情報を拡張ファイル用領域に記録する拡張ファイル記録ステップとを有するようにする。
【００２４】
請求項１の構成によれば、ＵＤＦ領域と、ＤＶＤビデオ用領域と、拡張ファイル用領域とを光ディスクの情報記録面に設定して情報記録面を管理し、ＤＶＤビデオ用領域に、動画ファイルを順次記録すると共に、タイトル管理情報の生成に必要な管理情報を一時的に拡張ファイル用領域に記録し、拡張ファイル、該拡張ファイルの少なくとも記録位置を示す拡張管理情報を拡張ファイル用領域に記録すれば、ＤＶＤビデオフォーマットのファイル管理システム、複数の動画ファイルをまとめて管理するタイトル管理情報、複数の動画ファイル、先のタイトル管理情報のバックアップ情報を順次ＤＶＤビデオ用領域に記録することができ、またＵＤＦ領域に、拡張ファイルの管理情報、ＤＶＤビデオ用領域の管理情報をまとめて記録することができ、これらによりＤＶＤビデオフォーマットと互換性を維持しつつ、静止画ファイル等の拡張ファイルを記録することができる。
【００２５】
これにより請求項９、請求項１７、請求項１９の構成によれば、ＤＶＤビデオフォーマットと互換性を維持しつつ、静止画ファイル等の拡張ファイルを記録することができる光ディスクの記録方法、光ディスクの記録方法のプログラム及び光ディスクの記録方法のプログラムを記録した記録媒体を提供することができる。
【００２６】
【発明の実施の形態】
以下、適宜図面を参照しながら本発明の実施の形態を詳述する。
【００２７】
（１）第１の実施の形態
（１−１）第１の実施の形態の構成
図２は、本発明の第１の実施の形態に係る光ディスク装置を示すブロック図である。この光ディスク装置１は、携帯型のビデオレコーダであり、ＤＶＤである光ディスク２に撮像結果を記録できるようになされている。
【００２８】
すなわちこの光ディスク装置１において、映像入力部３は、図示しない撮像手段より得られる撮像結果である映像信号、外部機器から入力される映像信号をアナログディジタル変換処理し、ビデオデータを出力する。なおここでこの内蔵の撮像手段は、マイコン４による制御により、動画による撮像結果、静止画による撮像結果を出力するようになされ、これによりこの映像入力部３においては、マイコン４による撮像手段の制御に応動して、動画、静止画によるビデオデータを選択的に出力するようになされている。
【００２９】
オーディオ入力部５は、マイクで取得される音声信号、外部入力による音声信号をアナログディジタル変換処理し、オーディオデータを出力する。
【００３０】
圧縮／伸長処理部６は、マイコン４の制御により、動作を切り換え、記録再生に供するデータを処理する。すなわち圧縮／伸長処理部６は、映像入力部３、オーディオ入力部５から入力されるビデオデータ、オーディオデータの記録時、ランダムアクセスメモリ（ＲＡＭ）９を用いて、これらビデオデータ及びオーディオデータをデータ圧縮して多重化処理し、ヘッダー情報処理部７に出力する。またこれとは逆に、再生時、同様にランダムアクセスメモリ９を用いて、ヘッダー情報処理部７より得られるデータをビデオデータ及びオーディオデータに分離した後、それぞれデータ伸長して出力する。
【００３１】
すなわち圧縮／伸長処理部６において、ビデオ処理部８は、マイコン４の制御により、記録時、映像入力部３から出力されるビデオデータをデータ圧縮して出力する。このときこのビデオデータが動画によるビデオデータの場合、ＭＰＥＧ２のフォーマットによりデータ圧縮するのに対し、このビデオデータが静止画によるビデオデータの場合、ＪＰＥＧ（Ｊｏｉｎｔ　Ｐｈｏｔｏｇｒａｐｈｉｃ　Ｃｏｄｉｎｇ　Ｅｘｐｅｒｔｓ　Ｇｒｏｕｐ　）のフォーマットによりデータ圧縮する。またビデオ処理部８は、再生時、多重化処理部１０から出力されるビデオデータを、このビデオデータのデータ圧縮フォーマットに対応してデータ伸長して出力する。
【００３２】
オーディオ処理部１１は、記録時、オーディオ入力部５から出力されるオーディオデータをＭＰＥＧ、ドルビーオーディオ、またはリニアＰＣＭ等のフォーマットによりデータ圧縮して出力する。またこれとは逆に、再生時、多重化処理部１０から得られるオーディオデータをデータ伸長して出力する。
【００３３】
多重化処理部１０は、記録時、ビデオ処理部８から出力されるビデオデータ、オーディオ処理部１１から出力されるオーディオデータを時分割多重化してヘッダー情報処理部７に出力する。またこれとは逆に、再生時、ヘッダー情報処理部７から出力される時分割多重化データよりビデオデータ及びオーディオデータを分離し、それぞれビデオ処理部８、オーディオ処理部１１に出力する。
【００３４】
モニタ部１２は、映像入力部３から入力されるビデオデータ、オーディオ入力部５から入力されるオーディオデータ、又は圧縮／伸長処理部６から出力されるビデオデータ、オーディオデータをモニタする表示機構、音声処理機構により構成され、これによりこの光ディスク装置１では、撮像結果をモニタし、再生結果をモニタできるようになされている。
【００３５】
ビデオ／オーディオエンコーダ１３は、オーディオ入力部５から入力されるビデオデータ及びオーディオデータ、又は圧縮／伸長処理部６から出力されるビデオデータ及びオーディオデータを所定フォーマットによりデータ圧縮して外部機器に出力する。これによりこの光ディスク装置１では、撮像結果、再生結果を外部機器でモニタできるようになされている。
【００３６】
ヘッダー情報処理部７は、記録時、圧縮／伸長処理部６から出力される時分割多重化データを受け、マイコン４の制御により、ＤＶＤに固有のヘッダー情報、後述する拡張ファイルのヘッダー情報等を付加して出力する。またマイコン４からの情報により、ＵＤＦ、ＶＭＧ、ＶＴＳＩ等のデータを生成してＤＶＤ信号処理部１４に出力する。また再生時等において、ＤＶＤ信号処理部１４の出力データから、記録時に付加したヘッダー情報を分離して圧縮／伸長処理部６に出力する。またこの分離したヘッダー情報をマイコン４に通知する。なおここで拡張ファイルとは、この光ディスク２について規格化されたフォーマットであるＤＶＤビデオフォーマットで定義されていないファイルであり、この実施の形態ではこの拡張ファイルに静止画のファイルが適用されるようになされている。
【００３７】
ＤＶＤ信号処理部１４は、記録時、ランダムアクセスメモリ１５を用いて、ヘッダー情報処理部７の出力データよりエラー訂正符号を生成し、このエラー訂正符号をこの出力データに付加する。またスクランブル処理、８／１６変調等の処理を実行し、その処理結果によるデータ列をシリアルデータ列によりアナログフロントエンド部１６に出力する。
【００３８】
これに対して再生時、ＤＶＤ信号処理部１４は、記録時とは逆に、アナログフロントエンド部１６の出力データを復号処理、デスクランブル処理、エラー訂正処理し、処理結果をヘッダー情報処理部７に出力する。またＤＶＤ信号処理部１４は、マイコン４から出力されるスピンドル制御用、トラッキング制御用、フォーカス制御用、スレッド制御用の各種駆動情報をディジタルアナログ変換処理してこれらの駆動信号を生成し、これら駆動信号をモーターアンプ部１８に出力する。
【００３９】
アナログフロントエンド部１６は、光学ヘッド１９から光ディスク２に照射するレーザービームについて、光量制御信号を生成して出力する。アナログフロントエンド部１６は、再生時、この光量制御信号により光学ヘッド１９から光ディスク２に照射するレーザービームの光量を再生用の一定光量に保持するのに対し、記録時、ＤＶＤ信号処理部１４からの出力データに応じてこの光量制御信号の信号レベルを変化させ、これによりこのＤＶＤ信号処理部１４からの出力データに応じてレーザービームの光量を再生時の光量から記録の光量に間欠的に立ち上げる。
【００４０】
またアナログフロントエンド部１６は、光学ヘッド１９から得られる戻り光の受光結果を増幅して演算処理することにより、光ディスク２に形成されたピット列に対応して信号レベルが変化する再生信号を生成し、この再生信号の信号処理によりこの再生信号の２値識別結果である再生データをＤＶＤ信号処理部１４に出力する。またこの受光結果演算処理により、トラッキングエラー量、フォーカスエラー量に応じて信号レベルが変化するトラッキングエラー信号、フォーカスエラー信号等を生成し、これらの信号をディジタル信号によりマイコン４に出力する。
【００４１】
モーターアンプ部１８は、ＤＶＤ信号処理部１４から出力される各種駆動信号により、それぞれ対応する機構を駆動する。すなわちモーターアンプ部１８は、これらの駆動信号のうち、スピンドル制御用の駆動信号、スレッド制御用の駆動信号によりスピンドルモータ２０、スレッドモータ２１を回転駆動する。またトラッキング制御用の駆動信号、フォーカス制御用の駆動信号により光学ヘッド１９に搭載のアクチュエータを駆動する。
【００４２】
スピンドルモータ２０は、光ディスク２をチャッキングして所定の回転速度により回転駆動する。スレッドモータ２１は、光学ヘッド１９を光ディスク２の半径方向に可動させる。
【００４３】
光学ヘッド１９は、アナログフロントエンド部１６から出力される光量制御信号により内蔵の半導体レーザーからレーザービームを出射し、対物レンズを介してこのレーザービームを光ディスク２の情報記録面に集光する。またこのレーザービームの照射により光ディスク２から得られる戻り光をこの対物レンズを介して所定の受光素子に導き、この受光素子の受光結果をアナログフロントエンド部１６に出力する。光学ヘッド１９は、この対物レンズがトラッキング制御用の駆動信号、フォーカス制御用の駆動信号により駆動されるアクチュエータにより可動するようになされ、これによりトラッキング制御、フォーカス制御できるようになされている。またレーザービームの光量が光量制御信号により間欠的に立ち上げられ、これにより光ディスク２の情報記録面を局所的に温度上昇させて所望のデータを記録するようになされている。
【００４４】
マイコン４は、この光ディスク装置１全体の動作を制御するコンピュータであり、この光ディスク装置１に事前にインストールされた処理プログラムを実行することにより図示しない操作部を介して得られるユーザーの操作により、さらにはアナログフロントエンド部１６で検出される各種信号等により、各部の動作を制御する。
【００４５】
すなわちマイコン４は、アナログフロントエンド部１６で検出されるトラッキングエラー信号、フォーカスエラー信号により、トラッキング制御用、フォーカス制御用の駆動情報を生成し、ＤＶＤ信号処理部１４でアナログ信号に変換してモーターアンプ部１８に出力し、これによりトラッキング制御、フォーカス制御の処理を実行する。またヘッダー情報処理部７で検出されるヘッダー情報等によりレーザービーム照射位置を検出し、この検出結果よりスレッド制御用の駆動情報を生成してＤＶＤ信号処理部１４に出力し、これによりシーク等の処理を実行する。また同様にしてスピンドル制御の処理を実行する。
【００４６】
またこれらの光ディスク２に関する処理を前提として、マイコン４は、光ディスク２が装填されると、また光ディスク２を装填した状態で電源が立ち上げられると、光ディスク２の内周側領域をアクセスして光ディスク２の種類を判定し、この光ディスク２が再生専用の光ディスクの場合、又はファイナライズ処理されてなる光ディスク２の場合、ＶＭＧを再生して光ディスク２に記録されたファイルの再生に必要なデータを取得する。またこの取得したデータに従ってユーザーの所望するファイルを再生するように、全体の動作を制御する。
【００４７】
これに対して光ディスク２が未だファイナライズ処理されていないＤＶＤ−Ｒ、ＤＶＤ−ＲＷの場合、ユーザーの操作に応動して全体の動作を制御して動画及び静止画のデータを記録し、これにより動画ファイル、静止画ファイルを光ディスク２に記録する。また光ディスク２に記録された動画ファイル、静止画ファイルを再生し、再生結果をモニタ部１２で表示し、さらには外部機器に出力する。またこのような光ディスク２について、ファイナライズ処理されてなる光ディスク２にあっては、ＶＭＧの記録に代えＵＤＦの記録に従って、光ディスク２に記録されたファイルを再生する。
【００４８】
図３は、図１１との対比によりそれぞれＤＶＤ−Ｒ、ＤＶＤ−ＲＷに動画ファイル及び拡張ファイルを記録する場合における光ディスク２の論理フォーマットを示す図表である。光ディスク２がＤＶＤ−Ｒの場合、マイコン４は、ＩＮＣ方式により動画、静止画のファイルを記録する。これに対して光ディスク２がＤＶＤ−ＲＷの場合、ＲＯＷ方式により動画、静止画のファイルを記録する。
【００４９】
マイコン４は、このＩＮＣ方式による記録においては、図３（Ａ）に示すように、光ディスク２の外周側領域に拡張ファイル（ＥＴＣ　Ｆｉｌｅ）用の領域を確保し、この領域に拡張ファイル、拡張ファイルの管理情報である拡張管理情報動画ファイルの管理情報を記録し、ＶＭＧによってはこの領域を管理しないように、すなわちこれら拡張ファイル等による記録をＶＴＳに含めないようにし、ＵＤＦによってのみ管理可能とする。またこのようにして外周側に拡張ファイル用の領域を確保して残る内周側領域に、順次動画ファイルを記録する。このマイコン４は、このようにして記録する複数の動画ファイルにより１つのＶＴＳを構成するように、すなわち１つのＶＴＳが複数のタイトルにより構成されるように、ＶＴＳＩ等の記録を設定し、これによりＩＮＣ方式における記録時の制限である、一度に書き込むエリアは最大３つまでとする定義に従って、動画ファイル及び静止画ファイルを記録する。
【００５０】
これに対して図３（Ｂ）に示すように、ＲＯＷ方式による記録においては、パディングにより十分に大きな領域を確保し、ＵＤＦに続いて動画ファイルの管理情報、拡張管理情報を記録し、さらに拡張ファイルを記録する。また続いてＶＭＧを記録し、このＶＭＧにより再生可能にＶＴＳを記録する。またこの場合も１つのＶＴＳが複数のタイトルにより構成されるように、ＶＴＳＩ等の記録を設定する。
【００５１】
これらによりマイコン４においては、コンピュータによるファイル管理システムを記録するＵＤＦ領域と、ＤＶＤビデオフォーマットのファイル管理システム（ＶＭＧ）と、このファイル管理システム（ＶＭＧ）により管理される複数の動画ファイル、複数の動画ファイルの少なくとも記録位置を示すタイトル管理情報（ＶＴＳＩ）、タイトル管理情報（ＶＴＳＩ）のバックアップ用情報（ＶＴＳＩＢＵＰ）とによるＶＴＳを記録するＤＶＤビデオ用領域ＤＶＤ−ＶｉｄｅｏＺｏｎｅと、動画ファイル以外の拡張ファイルＥＴＣ　Ｆｉｌｅを記録する拡張ファイル用領域ＡＥとを光ディスクの情報記録面に設定して情報記録面を管理するようになされている。
【００５２】
すなわち図１は、ＩＮＣ方式による記録手順を示す図表である。マイコン４においては、光ディスク２がＤＶＤ−Ｒのバージンディスクの場合、始めにＲｚｏｎｅを予約する（図１（Ａ））。
【００５３】
ここでこのＲｚｏｎｅの予約において、従来のＩＮＣ方式の場合が、Ｒｚｏｎｅ１によりＵＤＦ領域、ＶＭＧ領域を確保し、Ｒｚｏｎｅ２により先頭ＶＴＳのＶＴＳＩ領域、ＶＴＳＭ　ＶＯＢＳ領域を確保するのに対し（図１（Ａ））、この実施の形態においては、Ｒｚｏｎｅ１によりＵＤＦ領域、ＶＭＧ領域、先頭ＶＴＳのＶＴＳＩ領域、ＶＴＳＭ　ＶＯＢＳ領域を確保する。従ってその分、従来に比して大きな領域をＲｚｏｎｅ１により確保する。
【００５４】
さらに従来の方式においては、Ｉｎｖｉｓｉｂｌｅ　Ｒｚｏｎｅにより先頭ＶＴＳのＶＴＳＴＴ　ＶＯＢＳ領域以降の領域を確保するのに対し、この実施の形態においては、Ｒｚｏｎｅ２により先頭ＶＴＳのＶＴＳＴＴ　ＶＯＢＳ領域以降の動画ファイルの記録領域を確保し、Ｉｎｖｉｓｉｂｌｅ　Ｒｚｏｎｅにより管理情報記録領域、拡張ファイル用の領域を確保する。なおこれによりＩｎｖｉｓｉｂｌｅ　Ｒｚｏｎｅの開始位置は、光ディスク２に記録が予測される拡張ファイルのデータ量に応じて、例えばユーザーによる設定により、又はこの光ディスク装置１に事前に登録された設定等により、設定されるようになされている。
【００５５】
これらによりこの実施の形態においては、光ディスク２の情報記録面を、内周側より、第１、第２、第３の領域に分割して管理し、第１の領域の先頭領域にＵＤＦ領域を割り当て、残る第１の領域、第２の領域にＤＶＤビデオ用領域を割り当て、第３の領域に拡張ファイル用領域を割り当てるようになされている。
【００５６】
このようにしてＲｚｏｎｅを確保して、動画ファイルを記録する場合、図１（Ｂ）及び（Ｃ）に示すように、Ｒｚｏｎｅ２に順次、動画ファイルを記録し、またこの動画ファイルの記録に対応するように、内蔵のメモリに、各動画ファイルの記録開始位置、ファイルサイズ、ファイル名、記録日時等の情報による管理情報を記録し、さらにこの管理情報を更新する。
【００５７】
またこのようにして動画ファイルを記録して、動画のみ記録する動画モードから静止画のみ記録する静止画モードへの動作モードの切り換えがユーザーより指示された場合、Ｉｎｖｉｓｉｂｌｅ　Ｒｚｏｎｅの先頭よりメモリに保持した管理情報を記録し（図１（Ｄ））、この光ディスク２に記録された管理情報により、それまで光ディスク２に記録した動画ファイルを再生できるようにする。またこの記録に対応するように、Ｉｎｖｉｓｉｂｌｅ　Ｒｚｏｎｅを一旦閉じ、残りの外周側領域を改めてＩｎｖｉｓｉｂｌｅ　Ｒｚｏｎｅに定義する。
【００５８】
またこのような動作モードの切り換えにより拡張ファイルを記録する場合、図１（Ｅ）に示すように、一連のユーザーによる操作により得られる複数の拡張ファイルをＩｎｖｉｓｉｂｌｅ　Ｒｚｏｎｅの先頭より順次記録する。またこの記録に対応するように、各拡張ファイルの記録開始位置、ファイルサイズ、ファイル名、記録日時等による管理情報（拡張管理情報である）をメモリに記録して保持し、さらにこの拡張管理情報を逐次更新する。
【００５９】
またこのようにして拡張ファイルを記録してユーザーにより元の動画モードへの動作モードの切り換えが指示されると、拡張ファイルに続いてメモリに保持した拡張管理情報を記録し、これにより光ディスク２に記録した拡張ファイルをこの拡張管理情報を基準にして再生できるようにする。また続いてＩｎｖｉｓｉｂｌｅ　Ｒｚｏｎｅを一旦閉じ、残りの外周側領域を改めてＩｎｖｉｓｉｂｌｅ
Ｒｚｏｎｅに定義する。
【００６０】
これによりさらにユーザーにより動画ファイルの記録が指示されると、Ｒｚｏｎｅ２に動画ファイルを記録し、またこの動画ファイルの記録に対応するように、メモリに保持した管理情報を更新する（図１（Ｆ））。また静止画モードの切り換えが指示されると、このようにしてメモリに保持した管理情報をＩｎｖｉｓｉｂｌｅ　Ｒｚｏｎｅに追記する。これによりマイコン４では、一旦、管理情報を光ディスク２に記録した後に、光ディスク２に動画ファイルを追記した場合、新たに管理情報を光ディスク２に追記するようになされ、この新たに追記した管理情報により追記した動画ファイルを再生するようになされている。またこのようにして新たに記録した管理情報については、追記した動画ファイルだけでなく、それまでの管理情報により管理していた動画ファイルについても、再生できるように記録位置情報等が記録されるようになされ、これにより光ディスク２では、最新の管理情報を再生するだけで、光ディスク２に記録された全ての動画ファイルを再生できるようになされている。
【００６１】
このようにして管理情報を追記すると、マイコン４は、改めてＩｎｖｉｓｉｂｌｅ　Ｒｚｏｎｅを定義する。また静止画モードにより順次ＩｎｖｉｓｉｂｌｅＲｚｏｎｅに拡張ファイルを記録すると共に、これに対応してメモリに保持した拡張管理情報を順次更新し、ユーザーによる静止画モードの終了の指示により、拡張管理情報を光ディスク２に追記する（図１（Ｇ））。この場合も、マイコン４は、それまでの拡張管理情報に割り当てられていた拡張ファイルについても、新たに追記する拡張管理情報により再生できるように、この拡張管理情報を作成して追記する。これにより光ディスク２では、拡張ファイルについても、最新の拡張管理情報を再生するだけで、光ディスク２に記録された全ての拡張ファイルを再生できるようになされている。
【００６２】
これに対してこのようにして動画ファイル、静止画ファイルを記録して光ディスク２の排出が指示された場合、又は電源の遮断が指示された場合、マイコン４は、これら最新の管理情報、拡張管理情報の記録位置を示すアドレスを光ディスク２の所定位置に記録する。これにより光ディスク２では、ファイナライズ前の状態であっても、このようにして記録したアドレスに基づいて、管理情報、拡張管理情報を再生し、この再生した管理情報、拡張管理情報に基づいて動画ファイル、静止画ファイルを再生できるようになされている。
【００６３】
これに対してユーザーによりファイナライズの指示が得られると、マイコン４は、図１（Ｈ）に示すように、メモリに保持した管理情報に基づいて、ＶＴＳＩ、ＶＴＳＭ　ＶＯＢＳ、ＶＴＳＩ　ＢＵＰを記録し、これにより複数の動画ファイルによる１つのＶＴＳを形成する。また管理情報、拡張管理情報に基づいて、ＵＤＦのデータを形成して光ディスク２に記録し、これによりＵＤＦを形成する。また管理情報に基づいて、ＶＭＧのデータを形成して光ディスク２に記録し、これによりＶＭＧを形成する。またリードイン、リードアウトを形成し、これらによりファイナライズの処理を完了する。
【００６４】
これに対して図４は、ＲＯＷ方式による記録手順を示す図表である。マイコン４においては、光ディスク２がＤＶＤ−ＲＷのバージンディスクの場合、始めにパディングにより領域を確保する（図４（Ａ））。ここで従来のＲＯＷ方式においては、このパディングによりＵＤＦ領域、ＶＭＧ領域、先頭ＶＴＳのＶＴＳＩ領域、ＶＴＳＭ　ＶＯＢＳ領域を確保するのに対し、この実施の形態では、これらの領域に加えて、管理情報、拡張管理情報、拡張ファイルの記録領域をこのパディングにより確保する。従ってその分、従来に比して大きな領域をパディングにより確保する。なおこれによりパディングの終了位置は、ＩＮＣ方式におけるＩｎｖｉｓｉｂｌｅ　Ｒｚｏｎｅの開始位置と同様に、光ディスク２に記録が予測される拡張ファイルのデータ量に応じて、例えばユーザーによる設定により、又はこの光ディスク装置１の事前の設定等により、設定されるようになされている。
【００６５】
これによりマイコン４は、ＤＶＤ−ＲＷの光ディスクについては、パディングにより情報記録面の内周側に領域を確保し、このパディングによる領域の先頭領域にＵＤＦ領域を割り当て、このＵＤＦ領域に続くパディングによる先頭側領域に拡張ファイル用領域を割り当て、このパディングによる残る領域と、続く領域とにＤＶＤビデオ用領域を割り当てるようになされている。
【００６６】
すなわちこのようにして内周側に領域を確保して、動画ファイルを記録する場合、図４（Ｂ）及び（Ｃ）に示すように、パディングした領域に続いて、動画ファイルを記録し、またこの動画ファイルの記録に対応するように、内蔵のメモリに、各動画ファイルの記録開始位置、ファイルサイズ、ファイル名、記録日時等の情報により管理情報を記録し、さらにこの管理情報を更新する。
【００６７】
またこのようにして動画ファイルを記録して、動画モードから静止画モードへの動作モードの切り換えがユーザーより指示された場合、パディングにより確保した先頭領域にＵＤＦ領域の分だけ空き領域を残して、管理情報を記録する（図４（Ｄ））。これによりこの光ディスク２では、この管理情報により、それまで光ディスク２に記録した動画ファイルを再生できるようにする。
【００６８】
またこのような動作モードの切り換えにより拡張ファイルを記録する場合、図４（Ｅ）に示すように、管理情報の記録領域に続いて、所定の空き領域だけ間を開けて、パディングにより確保した領域に一連のユーザーの操作により得られる拡張ファイルを順次記録する。なおこのようにして確保される空き領域は、動画ファイルの記録により管理情報を更新し、さらに拡張管理情報を記録、更新して十分な容量に設定されるようになされている。またこの記録に対応するように、拡張管理情報をメモリに記録して保持し、さらにこの拡張管理情報を逐次更新する。
【００６９】
またこのようにして拡張ファイルを記録してユーザーにより元の動画モードへの動作モードの切り換えが指示されると、図４（Ｆ）に示すように、管理情報の記録領域に続く空き領域に拡張管理情報を記録し、これにより光ディスク２に記録した拡張ファイルをこの拡張管理情報を基準にして再生できるようにする。
【００７０】
これによりさらにユーザーにより動画ファイルの記録が指示されると、図４（Ｇ）に示すように、それまで記録した動画ファイルに追記してユーザーにより指示された動画ファイルを記録し、またこの動画ファイルの記録に対応するように、メモリに保持した管理情報を更新する。また静止画モードの切り換えが指示されると、図４（Ｈ）に示すように、光ディスク２に記録した管理情報をメモリに保持した管理情報により上書きして更新する。これによりマイコン４では、追記した動画ファイルについても、この管理情報により再生可能とするようになされている。
【００７１】
またこのようにして管理情報を更新して、ユーザーより静止画ファイルの記録が指示されると、拡張ファイルの追記によりこの静止画ファイルを記録すると共に、メモリに保持した拡張管理情報を更新し、またユーザーによる静止画モードの終了の指示により、光ディスク２に記録された拡張管理情報をメモリに保持した拡張管理情報により上書きして更新する。
【００７２】
これに対してこのようにして動画ファイル、静止画ファイルを記録して光ディスク２の排出が指示された場合、又は電源の遮断が指示された場合、マイコン４は、ＩＮＳ方式の場合と同様に、これら最新の管理情報、拡張管理情報の記録位置を示すアドレスを光ディスク２の所定位置に記録する。これにより光ディスク２では、ファイナライズ前の状態であっても、このようにして記録したアドレスに基づいて、管理情報、拡張管理情報を再生し、この再生した管理情報、拡張管理情報に基づいて動画ファイル、静止画ファイルを再生できるようになされている。
【００７３】
これに対してユーザーによりファイナライズの指示が得られると、マイコン４は、図４（Ｉ）に示すように、メモリに保持した管理情報、拡張管理情報に基づいて、ＵＤＦのデータを形成し、パディングにより確保された領域に記録し、これによりＵＤＦを形成する。また管理情報に基づいて、ＶＭＧ、ＶＴＳＩ、ＶＴＳＭ　ＶＯＢＳ、ＶＴＳＩ　ＢＵＰのデータを形成し、拡張ファイルの末尾よりこれらのデータを順次追記してＶＭＧを形成し、またＶＴＳＩ、ＶＴＳＭ　ＶＯＢＳ、ＶＴＳＩ　ＢＵＰを記録して複数の動画ファイルによる１つのＶＴＳを形成する。またリードイン、リードアウトを形成し、これらによりファイナライズの処理を完了する。
【００７４】
図５は、このようにしてＤＶＤ−Ｒによる光ディスク２に記録される拡張ファイルＥＸ−Ｆｉｌｅｓと拡張管理情報ＥＤとの関係を示す図表である。光ディスク２は、例えばファイナライズによりＵＤＦが形成された際に、このＵＤＦに続く領域となる箇所に管理情報、拡張管理情報のアドレスＡＤが記録される。マイコン４は、光ディスク２の排出時、電源遮断時等において、上述した管理情報、拡張管理情報の更新に対応するように、追記によりこのアドレスＡＤの記録を更新するようになされている。
【００７５】
拡張管理情報ＥＤは、個々の拡張ファイルＥＸ−Ｆｉｌｅｓ＃１〜＃８について、それぞれ記録開始位置を示すアドレス、記録終了位置を示すアドレス、ファイルサイズ、ファイル名、拡張子等を記述した個別情報ＥＸＦＩ＃１〜＃８が拡張ファイルの種類毎にまとめられて拡張ファイルの記録順に記録される。また続いてカテゴリ管理情報ＴＥＭＰ　ＥＸＩ、カテゴリ情報ＥＸ−ＩＮＦＯ、管理情報Ｔ．Ｖが順次記録される。これらのうちカテゴリ情報ＥＸ−ＩＮＦＯは、拡張ファイルの種類毎にまとめられてなる個別情報ＥＸＦＩ＃１〜＃８の先頭記録位置を示すアドレス、対応する拡張ファイルの種類等の情報により形成され、各拡張ファイルのカテゴリ毎に作成されるようになされている。なおこの実施の形態においては、拡張ファイルが静止画ファイルのみであることにより、この図５（Ａ）及び（Ｂ）に示すように、カテゴリ情報ＥＸ−ＩＮＦＯは、１種類のみが記録される。
【００７６】
カテゴリ管理情報ＴＥＭＰ　ＥＸＩは、各カテゴリ情報ＥＸ　ＩＮＦＯの先頭記録位置を示すアドレス、ディレクトリー名等の情報により構成される。管理情報Ｔ．Ｖは、このカテゴリ管理情報ＴＥＭＰ　ＥＸＩの先頭記録位置を示すアドレス等により構成され、この実施の形態では、このカテゴリ管理情報ＴＥＭＰ
ＥＸＩの先頭記録位置のアドレスＡＤがＵＤＦに続く領域となる箇所に記録されるようになされている。
【００７７】
光ディスク２においては、最初に、拡張ファイル拡張管理情報ＥＤ１を記録した場合には、図５（Ａ）により示すように、光ディスク２に記録されたアドレスＡＤによりこの拡張管理情報ＥＤ１の記録位置が特定され、この拡張管理情報ＥＤ１の個別情報ＥＸＦＩ＃１〜＃４により所望するファイルを再生できるようになされている。
【００７８】
またその後、図５（Ｂ）により示すように、拡張ファイルを追記した場合には、新たに記録した拡張ファイルと、それまで記録されて板いた拡張ファイルとについて、まとめて拡張管理情報ＥＤ２が記録され、アドレスＡＤによりこの拡張管理情報ＥＤ２を再生して、所望するファイルを再生できるようになされている。
【００７９】
これに対して光ディスク２がＤＶＤ−ＲＷの場合、上書きにより管理情報、拡張管理情報が更新されることにより、図５（Ａ）により示す拡張管理情報ＥＤ１が拡張ファイルＥＸ−Ｆｉｌｅｓ＃１〜＃４の内周側に十分な領域を確保して記録され、拡張ファイルＥＸ−Ｆｉｌｅｓ＃５〜＃８においては、拡張ファイルＥＸ−Ｆｉｌｅｓ＃１〜＃４に続いて記録され、この記録に対応して、拡張ファイルＥＸ−Ｆｉｌｅｓ＃１〜＃４の内周側に記録した拡張管理情報ＥＤ１が拡張管理情報ＥＤ２に書き換えられるようになされている。
【００８０】
図６は、このようなＩＮＣ方式、ＲＯＷ方式に係る光ディスクであるＤＶＤ−Ｒ、ＤＶＤ−ＲＷが装填された場合におけるマイコン４の処理手順を示すフローチャートである。マイコン４は、電源が立ち上げられると、ステップＳＰ１からステップＳＰ２に移り、図示しない光ディスク２の検出機構による検出結果より光ディスク２の有無を判断する。ここで否定結果が得られると、マイコン４は、ステップＳＰ２を繰り返す。なおマイコン４は、光ディスク２が検出されないでこのステップＳＰ２を繰り返す場合、所定の表示手段に「Ｎｏ　ＤＩＳＣ」等のメッセージを表示して光ディスク２の装填を待機する。
【００８１】
ステップＳＰ２で肯定結果が得られると、マイコン４は、ステップＳＰ３に移り、光ディスク２の排出が指示されたか否か判断し、ここで肯定結果が得られると、光ディスク２の排出を図示しないローディング機構に指示した後、ステップＳＰ２に戻る。
【００８２】
これに対してステップＳＰ３で肯定結果が得られると、マイコン４は、ステップＳＰ４に移る。ここでマイコン４は、光ディスク２の種類を判別し、初期化処理が必要か否か判断する。具体的にマイコン４は、スレッドモータ２１を駆動して光学ヘッド１９を光ディスク２の最内周に移動させ、この最内周側の再生結果より、光ディスク２がＤＶＤ−Ｒ又はＤＶＤ−ＲＷか否か判断する。またＤＶＤ−Ｒ又はＤＶＤ−ＲＷの場合、Ｚｏｎｅの予約の有無、パディングの処理の有無、ＵＤＦ、ＶＭＧの有無等により、バージンディスクか否か、ファイナライズされているか否か判断し、バージンディスクの場合には、初期化の処理が必要と判断する。
【００８３】
このようにして初期化処理が必要と判断すると、マイコン４は、ステップＳＰ４からステップＳＰ５に移り、ユーザーによる指示により、ＤＶＤ−Ｒにおいては、図１について上述したようにＺｏｎｅを予約し、またＤＶＤ−ＲＷにおいては、図４について上述したようにパディングの処理を実行した後、ステップＳＰ６に移る。
【００８４】
これに対してステップＳＰ４で否定結果が得られると、マイコン４は、ステップＳＰ７に移り、光ディスク２が未だファイナライズされていない光ディスクの場合、光ディスク２に記録されたアドレスＡＤ（図５）に基づいて光ディスク２より最新の管理情報、拡張管理情報を再生してメモリに保持した後、ステップＳＰ６に移る。これに対して光ディスク２がファイナライズされている光ディスク２の場合、ＶＭＧに代えて、ＵＤＦのデータを光ディスク２より再生してメモリに保持した後、ステップＳＰ６に移る。
【００８５】
このステップＳＰ６において、マイコン４は、ユーザーによる操作が記録を指示する操作か（ＲＥＣにより示す）、再生を指示する操作か（ＰＢにより示す）、電源の立ち下げを指示する操作（Ｐｏｗｅｒ　ＯＦＦにより示す）か判断する。ここでユーザーによる操作が再生を指示する操作の場合、マイコン４は、ステップＳＰ６からステップＳＰ８に移り、光ディスク２に記録されたファイルを再生する再生処理手順を実行してステップＳＰ３に戻る。
【００８６】
これに対してユーザーによる操作が記録を指示する操作の場合、マイコン４は、ステップＳＰ６からステップＳＰ９に移り、光ディスク２に動画又は静止画を記録する記録処理手順を実行してステップＳＰ３に戻る。なおマイコン４は、光ディスク２がいわゆるファイナライズ処理されてＵＤＦ、ＶＭＧが形成されている場合、光ディスク２がデータを記録できないように処理されていることにより、記録処理手順を省略してステップＳＰ３に戻る。
【００８７】
これに対してユーザーによる操作が電源を立ち下げる操作の場合、マイコン４は、ステップＳＰ６からステップＳＰ１０に移り、電源立ち下げの処理を実行し、ステップＳＰ１１に移ってこの処理手順を終了する。なおマイコン４は、この電源立ち下げの処理により、最新の管理情報、拡張管理情報を指示するように、図５について上述したアドレスＡＤを追記する。なおマイコン４は、この図６に示す処理手順においては、記述を省略しているが、後述する記録処理、再生処理手順を実行してユーザーにより光ディスク２の排出が指示された場合、光ディスク２を排出するようになされている。マイコン４は、このような排出時において、記録処理により管理情報又は拡張管理情報を更新した場合には、この光ディスク２の排出時においても、同様に、最新の管理情報、拡張管理情報を指示するように、図５について上述したアドレスＡＤを追記するようになされている。
【００８８】
図７は、図６について上述した記録処理手順を示すフローチャートである。マイコン４は、この記録処理手順を開始すると、ステップＳＰ２１からステップＳＰ２２に移り、ユーザーによる記録の指示が動画モードに係るものか、静止画モードに係るものか、ファイナライズの処理に係るものか判断する。
【００８９】
ここでユーザーによる記録の指示が動画モードに係るものの場合、マイコン４は、ステップＳＰ２２からステップＳＰ２３に移り、ユーザーにより記録の開始が指示されたか否か判断する。ここで否定結果が得られると、マイコン４は、ステップＳＰ２３を繰り返すのに対し、肯定結果が得られると、ステップＳＰ２３からステップＳＰ２４に移り、図１及び図４について説明したようにして、映像入力部３より得られるビデオデータをＭＰＥＧによりデータ圧縮し、その結果得られる動画データによる実データを記録する。さらにステップＳＰ２５に移り、ユーザーにより記録の停止が指示されたか否か、また動画を記録してなる領域に残容量がないか否か判断する。ここでユーザーにより記録の停止が指示されない場合であって、また残容量が十分な場合、マイコン４は、ステップＳＰ２４に戻る。これによりマイコン４は、ステップＳＰ２４−ＳＰ２５−ＳＰ２４の処理手順を繰り返し、ユーザーにより指示に従って動画ファイルを記録する。なおマイコン４は、このステップＳＰ２４−ＳＰ２５−ＳＰ２４の処理手順の繰り返しにおいて、ユーザーにより一時停止の指示が得られると、全体の動作を制御してビデオデータの記録を一時停止し、また一時停止が解除されると、ビデオデータの記録を開始し、これによりユーザーの指示に従って、複数の動画ファイルを順次記録する。またこの動画ファイルの記録に対応してメモリに保持した管理情報を更新する。
【００９０】
これに対してユーザーにより動画モードの停止が指示された場合、さらには残容量がなくなった場合、マイコン４は、ステップＳＰ２５からステップＳＰ２６に移る。ここでマイコン４は、メモリに保持した管理情報を光ディスク２に記録した後、ステップＳＰ２７に移って元の処理手順に戻る。
【００９１】
これに対してユーザーによる指示が静止画モードによるものの場合、マイコン４は、ステップＳＰ２２からステップＳＰ２８に移り、ユーザーにより記録の開始が指示されたか否か判断する。ここで否定結果が得られると、マイコン４は、ステップＳＰ２８を繰り返すのに対し、肯定結果が得られると、ステップＳＰ２８からステップＳＰ２９に移り、図１及び図４について説明したように、静止画ファイルによる拡張ファイルを記録する。さらにステップＳＰ３０に移り、ユーザーにより記録の停止が指示されたか否か、静止画を記録してなる領域に残容量がないか否か判断する。ここでユーザーにより記録の停止が指示されない場合であって、また残容量が十分な場合、マイコン４は、ステップＳＰ２９に戻る。これによりマイコン４は、ステップＳＰ２９−ＳＰ３０−ＳＰ２９の処理手順を繰り返し、順次、静止画ファイルを記録し、またこの静止画ファイルの記録に対応するようにメモリに保持した拡張管理情報を更新する。
【００９２】
これに対してユーザーにより静止画モードによる記録の終了が指示された場合、さらには静止画を記録してなる領域に残容量がなくなった場合、マイコン４は、静止画ファイルの記録を終了してステップＳＰ３１に移る。ここでマイコン４は、メモリに保持した拡張管理情報を光ディスク２に記録し、ステップＳＰ２７に移ってこの処理手順を終了する。
【００９３】
これに対してユーザーによる記録の指示がファイナライズの処理に係るものの記録の場合、マイコン４は、ステップＳＰ２２からステップＳＰ３２に移り、ユーザーにより記録の開始が指示されたか否か判断する。ここで否定結果が得られると、マイコン４は、ステップＳＰ３２を繰り返すのに対し、肯定結果が得られると、ステップＳＰ３２からステップＳＰ３３に移り、図１及び図４について説明したように、ファイナライズの処理を実行する。
【００９４】
すなわちメモリに保持した最新の管理情報、拡張管理情報によりＵＤＦのデータを生成し、このデータを事前に確保したＵＤＦの領域に記録する。またこの最新の管理情報よりＶＭＧの情報を生成し、さらにはＶＴＳＩ、ＶＴＳＴＴ　ＶＯＢＳ、ＶＴＳＩ　ＢＵＰのデータを生成し、ＶＭＧ、ＶＴＳＩ、ＶＴＳＴＴ　ＶＯＢＳ、複数ファイルによる動画ファイル（ＶＴＳＴＴ　ＶＯＢＳである）、ＶＴＳＩ　ＢＵＰが連続するように、複数ファイルによる動画ファイルの前後に、ＶＭＧ、ＶＴＳＩ、ＶＴＳＴＴ　ＶＯＢＳ及びＶＴＳＩ　ＢＵＰを記録する。またこのとき、未記録領域を完全にこれらのデータで埋めることができない場合には、複数ファイルによる動画ファイルの前に未記録領域を形成するように、これらのＶＭＧ等を記録する。
【００９５】
このようにしてファイナライズの処理を実行すると、マイコン４は、ステップＳＰ３３からステップＳＰ２７に移り、元の処理手順に戻る。
【００９６】
これに対して図８は、図６について上述した再生処理手順を示すフローチャートである。マイコン４は、この再生処理手順を開始すると、ステップＳＰ４１からステップＳＰ４２に移り、ユーザーによる再生の指示が動画の記録に係るものか、静止画の記録に係るものか判断する。
【００９７】
ここでユーザーによる再生の指示が動画の再生に係るものの場合、マイコン４は、ステップＳＰ４２からステップＳＰ４３に移り、ユーザーにより再生の開始が指示されたか否か判断する。ここで否定結果が得られると、マイコン４は、ステップＳＰ４３を繰り返すのに対し、肯定結果が得られると、ステップＳＰ４３からステップＳＰ４４に移る。ここでマイコン４は、メモリに記録して保持した管理情報又はＵＤＦを基準にして、ユーザーにより指示された動画のファイルを再生するように全体の動作を制御する。
【００９８】
すなわち光ディスク２がファイナライズ処理された光ディスクの場合、メモリに保持したＵＤＦのデータにより対応するファイルの記録位置を検出し、この記録位置からの再生を光ディスク装置１の各部に指示する。これに対して光ディスク２がファイナライズ処理されていない光ディスクの場合、メモリに保持した最新の管理情報により対応する動画ファイルの記録位置を検出し、この記録位置からの再生を光ディスク装置１の各部に指示する。
【００９９】
このように再生を指示すると、マイコン４は、続いてステップＳＰ４５に移り、ユーザーにより再生の停止が指示されたか否か判断し、ここで否定結果が得られると、ステップＳＰ４４に戻る。これによりマイコン４は、ステップＳＰ４４−ＳＰ４５−ＳＰ４４の処理手順を繰り返し、順次、ユーザーにより指示された動画ファイルを再生する。これに対してステップＳＰ４５で肯定結果が得られると、ステップＳＰ４６に移り、各回路ブロックをスタンバイ状態に切り換えて再生の動作を停止した後、ステップＳＰ４６に移ってこの処理手順を終了する。
【０１００】
これに対してユーザーによる再生の指示が拡張ファイルの再生に係るものの場合、マイコン４は、ステップＳＰ４２からステップＳＰ４８に移り、ユーザーにより再生の開始が指示されたか否か判断する。ここで否定結果が得られると、マイコン４は、ステップＳＰ４８を繰り返すのに対し、肯定結果が得られると、ステップＳＰ４８からステップＳＰ４９に移る。
【０１０１】
ここでマイコン４は、光ディスク２がファイナライズ処理された光ディスクの場合、メモリに保持したＵＤＦのデータにより対応するファイルの記録位置を検出し、この記録位置からの再生を光ディスク装置１の各部に指示する。これに対して光ディスク２がファイナライズ処理されていない光ディスクの場合、メモリに保持した拡張管理情報より対応するファイルの記録位置を検出し、この記録位置からの再生を光ディスク装置１の各部に指示する。
【０１０２】
このように再生を指示すると、マイコン４は、続いてステップＳＰ５０に移り、ユーザーにより再生の停止が指示されたか否か判断し、ここで否定結果が得られると、ステップＳＰ４９に戻る。これによりマイコン４は、ステップＳＰ４９−ＳＰ５０−ＳＰ４９の処理手順を繰り返し、順次、ユーザーにより指示された静止画ファイルを再生する。これに対してステップＳＰ５０で肯定結果が得られると、ステップＳＰ５１に移り、各回路ブロックをスタンバイ状態に切り換えて再生の動作を停止した後、ステップＳＰ４７に移り、この処理手順を終了する。
【０１０３】
（１−２）第１の実施の形態の動作
以上の構成において、この光ディスク装置１では（図２）、電源が立ち上げられた状態でユーザーにより光ディスクが装填されると、また光ディスクが装填された状態で電源が立ち上げられると、マイコン４によるＤＶＤ信号処理部１４、モーターアンプ部１８を介したスレッドモータ２１の駆動により、光学ヘッド１９が光ディスク２の内周側に移動する。さらに光学ヘッド１９により光ディスク２にレーザービームを照射し、戻り光の光学ヘッド１９による受光結果がアナログフロントエンド部１６、マイコン４で順次処理され、このマイコン４の処理によるＤＶＤ信号処理部１４、モーターアンプ部１８を介した光学ヘッド１９の制御により、トラッキング制御、フォーカス制御の処理が実行される。また受光結果のＤＶＤ信号処理部１４による処理により、光ディスク２に記録されたデータが再生される。光ディスク装置１では、この一連の処理により、光ディスク２の内周側に記録された各種情報がマイコン４で取得され、マイコン４に内蔵のメモリに保持される。
【０１０４】
この光ディスク２がスタンパにより作成された再生専用の光ディスクの場合、さらには光ディスク２が従来と同様のＩＮＣ方式（図１２）、ＲＯＷ方式（図１３）により動画ファイルを記録したファイナライズ処理されてなる光ディスクの場合、この一連の処理により、マイコン４には、光ディスク２の内周側に記録されたＤＶＤプレイヤー用の管理用情報であるＶＭＧのデータが取得される。これにより光ディスク装置１では、ユーザーにより光ディスク２の再生が指示されると、このＶＭＧのデータに従って、ＤＶＤ信号処理部１４、モーターアンプ部１８を介したスピンドルモータ２０の駆動により、ユーザーの所望するタイトルの記録位置まで光学ヘッド１９がシークし、さらには光学ヘッド１９の受光結果によりトラッキング制御、フォーカス制御した状態で、光学ヘッド１９の受光結果がＤＶＤ信号処理部１４、ヘッダー情報処理部７、圧縮／伸長処理部６で順次処理されて動画によるビデオデータが再生される。すなわち受光結果である光ディスク２のピット列に応じて信号レベルが変化する再生信号がアナログフロントエンド部１６で処理されて再生データが生成され、この再生データがＤＶＤ信号処理部１４で復号、デインターリーブ、誤り訂正処理される。またこの誤り訂正処理された再生データがヘッダー情報処理部７に入力され、ここでヘッダーが除去され、このヘッダーの情報がマイコン４に通知される。また続いて圧縮／伸長処理部６に入力され、多重化処理部１０でビデオデータ及びオーディオデータに分離され、ビデオデータについては、ビデオ処理部８によりＭＰＥＧによるデータ圧縮が解かれ、モニタ部１２により表示され、又はビデオ／エンコーダ１３より外部機器に出力される。これに対してオーディオデータは、オーディオ処理部１１でデータ伸長された後、モニタ部１２によりモニタに供され、又はビデオ／エンコーダ１３より外部機器に出力される。
【０１０５】
これに対して光ディスク２が記録可能なバージンディスクの場合、光ディスク２の装填時、電源の立ち上げ時における光ディスク２のアクセスにより、光ディスク２のＲＭＡのデータがマイコン４で取得される。光ディスク装置１では、ユーザーの指示によりこのＲＭＡのデータに基づいて初期化の処理が実行され、コンピュータによるファイル管理システムを記録するＵＤＦ領域と、ＤＶＤビデオ用領域ＤＶＤ−Ｖｉｄｅｏ　Ｚｏｎｅと、拡張ファイル用領域ＡＥとが確保される（図３）。またこのＤＶＤビデオ用領域ＤＶＤ−Ｖｉｄｅｏ　Ｚｏｎｅにより、ＤＶＤビデオフォーマットのファイル管理システム（ＶＭＧ）を記録する領域と、このファイル管理システムにより管理される複数の動画ファイル、これら複数の動画ファイルの少なくとも記録位置を示すタイトル管理情報ＶＴＳ、タイトル管理情報のバックアップ用情報ＶＴＳＩ　ＢＵＰとによるＶＴＳを記録する領域とが確保される。
【０１０６】
光ディスク２がＤＶＤ−Ｒの場合（図１）、光ディスク装置１では、内周側より順次Ｒｚｏｎｅ１、Ｒｚｏｎｅ２、Ｉｎｖｉｓｉｂｌｅ　Ｒｚｏｎｅが予約され、ＵＤＦ領域とＤＶＤビデオ用領域ＤＶＤ−Ｖｉｄｅｏ　Ｚｏｎｅにおけるファイル管理システム（ＶＭＧ）、管理情報ＶＴＳ、ＶＴＳＭ　ＶＯＢＳを記録する領域とが確保され、またＲｚｏｎｅ２によりＤＶＤビデオ用領域ＤＶＤ−Ｖｉｄｅｏ　Ｚｏｎｅにおける動画ファイルＶＴＳＴＴ　ＶＯＢＳ、バックアップ用情報ＶＴＳＩ　ＢＵＰを記録する領域が確保される。またＩｎｖｉｓｉｂｌｅ　Ｒｚｏｎｅにより拡張ファイルを記録する領域が確保される。
【０１０７】
これに対して光ディスク２がＤＶＤ−ＲＷの場合（図４）、内周側よりパディングの処理が実行され、このパディングした領域の内周側より、ＵＤＦ領域、拡張ファイル用領域、ＤＶＤビデオ用領域ＤＶＤ−Ｖｉｄｅｏ　Ｚｏｎｅにおけるファイル管理システム（ＶＭＧ）、管理情報ＶＴＳ、ＶＴＳＭ　ＶＯＢＳを記録する領域とが確保される。またパディングされていない領域により、ＤＶＤビデオ用領域ＤＶＤ−Ｖｉｄｅｏ　Ｚｏｎｅにおける動画ファイルＶＴＳＴＴ　ＶＯＢＳ、バックアップ用情報ＶＴＳＩ　ＢＵＰを記録する領域が確保される。
【０１０８】
このようにして領域を確保すると、光ディスク装置１では、動画ファイルについては、それぞれＤＶＤビデオ用領域ＤＶＤ−Ｖｉｄｅｏ　Ｚｏｎｅに順次記録される。すなわち光ディスク装置１では、映像入力部３、オーディオ入力部５から順次ビデオデータ、オーディオデータが入力され、ビデオデータについてはビデオ処理部８でＭＰＥＧによるデータ圧縮の処理が実行され、オーディオデータについてはオーディオ処理部１１でデータ圧縮の処理が実行される。さらにこれらデータ圧縮されたビデオデータ及びオーディオデータが、多重化処理部１０により多重化処理され、その処理結果のデータにヘッダー情報処理部７によりヘッダーが付加される。さらに続くＤＶＤ信号処理部１４において、誤り訂正符号が付加された後、インターリーブ処理、符号化処理され、この処理結果のデータに従って光学ヘッド１９から光ディスク２に照射するレーザービームの光量がアナログフロントエンド部１６により立ち上げられ、これにより光ディスク２に順次ピット列が形成されて動画によるビデオデータが順次記録される。
【０１０９】
光ディスク装置１では、このようにして動画ファイルを記録する毎に、これら各動画ファイルの記録位置、ファイルサイズ、ファイル名、記録日時を示す管理情報がメモリに記録される。またユーザーにより動画モードによる動作の停止が指示されると、このメモリに保持した管理情報が拡張ファイル用領域に記録される。このとき光ディスク２がＤＶＤ−Ｒの場合、光ディスク装置１では、拡張ファイル用領域の未記録領域への追記によりこの管理情報が記録され、また更新されるのに対し、光ディスク２がＤＶＤ−ＲＷの場合、ＵＤＦ領域に続く領域に管理情報の記録領域が割り当てられ、この管理情報の上書きにより管理情報が記録される。
【０１１０】
これに対してユーザーにより静止画ファイルの記録が指示されると、拡張ファイル用領域の未記録領域に順次静止画ファイルによる拡張ファイルが記録される。すなわちこの場合、光ディスク装置１では、映像入力部３より入力される静止画によるビデオデータがビデオ処理部８でＪＰＥＧによりデータ圧縮された後、多重化処理部１０によりオーディオデータと多重化処理され、その後動画ファイルの場合と同様に処理されて光ディスク２に記録される。
【０１１１】
光ディスク装置１では、このようにして静止画ファイルによる拡張ファイルを記録する毎に、各静止画ファイルの記録位置、ファイルサイズ、ファイル名、記録日時を示す拡張管理情報がメモリに記録される。またユーザーにより静止画モードによる動作の停止が指示されると、この拡張管理情報が拡張ファイル用領域に記録される。光ディスク２がＤＶＤ−Ｒの場合、光ディスク装置１では、このようにして記録した拡張ファイルに続く未記録領域に拡張管理情報が追記され、これにより拡張管理情報が記録更新される。また光ディスク２がＤＶＤ−ＲＷの場合、ＵＤＦ領域に続く管理情報の記録領域に続いて、拡張管理情報の記録領域が設定され、この拡張管理情報の記録領域への上書きにより拡張管理情報が記録される。
【０１１２】
またこのようにして拡張管理情報、管理情報、動画ファイル、拡張ファイルを記録して、ユーザーにより光ディスクの排出、電源の立ち下げが指示されると、これら管理情報、拡張管理情報を示すアドレスが光ディスク２の特定の領域に記録される。
【０１１３】
これにより光ディスク装置１では、このようにして記録したアドレスによりそれぞれ拡張管理情報、管理情報を再生し、これら拡張管理情報、管理情報に基づいて光ディスク２に記録された動画ファイル、静止画ファイルを再生することができるようになされている。
【０１１４】
すなわち光ディスク装置１では、このようにして拡張ファイル、動画ファイルが記録されてなる光ディスク２が装填されると、この特定領域に記録されたアドレスを基準にして、光ディスク２に記録された最新の管理情報、拡張管理情報を再生し、メモリに保持する。またユーザーにより光ディスク２に記録されたファイルの再生が指示されると、この管理情報、拡張管理情報の記録に従って対応するファイルを再生して出力する。
【０１１５】
すなわちユーザーにより動画ファイルの再生が指示されると、メモリに記録した管理情報よりユーザーにより指示された動画ファイルの記録位置を検出し、この検出結果より光学ヘッド１９をこの動画ファイルの記録位置までシークさせ、この動画ファイルを再生する。すなわちこの場合、上述したＶＭＧにより動画ファイルを再生する場合と同様にして、光ディスク２に記録された動画ファイルが再生されてデータ伸長された後、外部機器に出力され、またモニタ部１２で表示される。
【０１１６】
これに対してユーザーより静止画ファイルの再生が指示されると、メモリに記録した拡張管理情報より対応する静止画ファイルの記録位置が検出され、この検出結果より光学ヘッド１９をこの静止画ファイルの記録位置までシークさせ、この静止画ファイルを再生する。すなわちこの場合、多重化処理部１０より出力されるビデオデータがビデオ処理部８においてＪＰＥＧのフォーマットによりデータ伸長されて元の静止画によるビデオデータに変換され、このビデオデータが外部機器に出力され、またモニタ部１２に表示される。
【０１１７】
またユーザーにより動画ファイル、静止画ファイルの記録が指示されると、同様にして動画ファイル、静止画ファイルが光ディスク２に記録され、これらの記録に対応するようにメモリに保持した管理情報、拡張管理情報が更新され、動画モードの終了、静止画モードの終了により、このメモリに保持した管理情報、拡張管理情報により光ディスク２の記録が更新される。また光ディスク２の排出時、電源遮断時、このようにして更新した最新の管理情報、拡張管理情報を示すように、アドレスＡＤが更新される。
【０１１８】
これによりこの光ディスク装置１では、動画以外のファイルを光ディスクに記録することができ、またこのようにして記録した動画以外のファイルを再生することができる。
【０１１９】
これに対してユーザーよりファイナライズが指示されると、光ディスク装置１では、メモリに保持された最新の管理情報より、ＶＭＧのデータが生成される。また管理情報、拡張管理情報よりＵＤＦのデータが生成される。また光ディスク２に記録した複数ファイルにより１つのＶＴＳを形成するように、すなわちこれら複数の動画ファイルを管理するＶＴＳＩ、ＶＴＳＩ　ＢＵＰのデータが生成され、またこれに対応するＶＴＳＭ　ＶＯＢＳのデータが生成される。
【０１２０】
光ディスク装置１では、複数の動画ファイルによるＶＴＳＴＴ　ＶＯＢＳを形成して、このＶＴＳＴＴ　ＶＯＢＳの前側に、ＶＭＧ、ＶＴＳＩ、ＶＴＳＭ　ＶＯＢＳが連続するように、またＶＴＳＴＴ　ＶＯＢＳにＶＴＳＩ　ＢＵＰが続くように、これらのデータが記録され、これによりＤＶＤビデオフォーマットによるＤＶＤビデオ用領域ＤＶＤ−Ｖｉｄｅｏ　Ｚｏｎｅが形成される。またこのＤＶＤビデオ用領域ＤＶＤ−Ｖｉｄｅｏ　Ｚｏｎｅの先頭側にＵＤＦが形成される。またこのようにして未記録領域が発生する場合には、この未記録領域がＶＴＳＴＴ　ＶＯＢＳとＶＴＳＴＴ　ＶＯＢＳとの間となるように、これらのデータが光ディスクの先頭領域側より順次記録される。
【０１２１】
すなわちＤＶＤビデオフォーマットにおいては、ＤＶＤビデオ用領域ＤＶＤ−Ｖｉｄｅｏ　Ｚｏｎｅの構成が規格により定められており、この実施の形態のように、ＤＶＤビデオ用領域ＤＶＤ−Ｖｉｄｅｏ　Ｚｏｎｅを形成し、またこのＤＶＤビデオ用領域ＤＶＤ−Ｖｉｄｅｏ　Ｚｏｎｅ以外の領域に管理情報、拡張管理情報を記録することにより、ＤＶＤビデオフォーマットと互換性を担保することができる。
【０１２２】
光ディスク装置１では、このようにしてＵＤＦ等が形成されると、リードイン、リードアウトが形成され、これによりＤＶＤプレイヤーにより再生可能に光ディスク２がファイナライズ処理され、これによりＤＶＤによる光ディスクとの間の互換性が担保される。
【０１２３】
光ディスク装置１では、このようにしてファイナライズ処理されてなる光ディスク２が装填された場合、ＶＭＧに代えて、ＵＤＦの記録に従って、ユーザーにより指示されたファイルを再生し、モニタ部１２で表示し、またビデオデータ及びオーディオデータを外部機器に出力する。これにより光ディスク装置１では、ファイナライズした後においても、このようにして記録した静止画ファイルを再生して確認することができるようになされている。
【０１２４】
またこのようにファイナライズされた光ディスクをコンピュータにより再生する場合には、ＵＤＦがコンピュータのファイル管理システムに対応するファイル管理フォーマットであり、コンピュータにおいては、ＵＤＦにより各ファイルを再生することにより、動画ファイルはもとより、静止画等の各種ファイルについても再生して利用することが可能となる。
【０１２５】
（１−３）第１の実施の形態の効果
以上の構成によれば、光ディスクの情報記録面に、ＵＤＦ領域と、ＤＶＤビデオ用領域と、拡張ファイル用領域とを設定し、拡張ファイル、拡張管理情報を拡張ファイル用領域に記録することにより、ＤＶＤビデオフォーマットと互換性を維持しつつ、動画ファイル以外の静止画ファイル等についても記録することができる。これにより光ディスク２の付加価値を高めることができる。
【０１２６】
また情報記録面を、内周側より、第１、第２、第３の領域に分割して管理し、第１の領域の先頭領域にＵＤＦ領域を設定し、残る第１の領域、第２の領域にＤＶＤビデオ用領域を割り当て、第３の領域に拡張ファイル用領域を割り当てることにより、一度に書き込むエリアは最大３つまでと定義されているＩＮＣ方式に適用して、ＤＶＤビデオフォーマットと互換性を維持しつつ、動画ファイル以外の静止画ファイル等についても記録することができる。
【０１２７】
またパディングにより情報記録面の内周側に領域を確保し、このパディングによる領域の先頭領域にＵＤＦ領域を設定し、ＵＤＦ領域に続くパディングによる先頭領域に、拡張ファイル用領域を割り当て、パディングによる残る領域と、続く領域とにＤＶＤビデオ用領域を割り当てることにより、ＲＯＷ方式に適用して、ＤＶＤビデオフォーマットと互換性を維持しつつ、動画ファイル以外の静止画ファイル等についても記録することができる。
【０１２８】
またこのような拡張ファイル用領域に記録されたタイトル管理情報の生成に必要な管理情報、拡張管理情報により、動画ファイル、拡張ファイルを再生することにより、ファイナライズ前の段階であっても、このようにして記録した静止画ファイル等の拡張ファイルを再生することができる。
【０１２９】
また拡張ファイル用領域に記録された管理情報、拡張管理情報に基づいて、動画ファイル、拡張ファイルを追記することにより、このような静止画ファイル等による拡張ファイルを記録した光ディスクに、静止画ファイル、動画ファイル等を追記することができる。
【０１３０】
また拡張ファイル用領域に記録された管理情報、拡張管理情報に基づいて、ＵＤＦ領域にコンピュータによるファイル管理システムを記録し、拡張ファイル用領域に記録された管理情報に基づいて、ＤＶＤビデオ用領域に、ＤＶＤビデオフォーマットのファイル管理システム、タイトル管理情報、バックアップ用情報を記録し、リードイン、リードアウトを形成することにより、コンピュータ、ＤＶＤプレイヤーで再生可能に光ディスクをファイナライズすることができる。
【０１３１】
（２）第２の実施の形態
図９は、図１との対比により本発明の第２の実施の形態に係る光ディスク装置の動作の説明に供する図表である。この第２の実施の形態に係る光ディスク装置では、ＤＶＤ−Ｒの光ディスクについて、図１について上述した手順に代えて、この図９に示す手順により動画ファイル、拡張ファイルを記録する。なおこの第２の実施の形態に係る光ディスク装置においては、このＤＶＤ−Ｒの光ディスクにおける処理が異なる点を除いて、第１の実施の形態の光ディスク装置と同一に構成されることにより、重複した説明は省略する。
【０１３２】
すなわちこの実施の形態においては、第１の実施の形態と同様に、光ディスクの情報記録面に、ＵＤＦ領域と、ＤＶＤビデオ用領域と、拡張ファイル用領域とを設定し、各領域に、第１の実施の形態と同様に、動画ファイル、静止画ファイル、管理情報、拡張管理情報を記録する。
【０１３３】
このような情報記録面の設定において、この実施の形態においては、情報記録面に、内周側より、順次、Ｒｚｏｎｅ１、Ｒｚｏｎｅ２、Ｉｎｖｉｓｉｂｌｅ
Ｒｚｏｎｅを予約することにより、情報記録面を内周側より第１、第２、第３の領域に分割して管理する。さらにこれらのうちＲｚｏｎｅ１をＵＤＦ領域に割り当てる。またＲｚｏｎｅ２に、先頭側より、ユーザーによる記録の指示に対応した順序で管理情報、拡張ファイル、拡張管理情報を記録し、またファイナライズによりＶＭＧ、ＶＴＳＩ、ＶＴＳＭ　ＶＯＢＳを記録し、これらによりこの第２領域を、拡張ファイル用領域に割り当てる。またＩｎｖｉｓｉｂｌｅ　Ｒｚｏｎｅに動画ファイルを記録し、これにより第２領域の末尾側と第３の領域とをＤＶＤビデオ用領域に割り当てる。
【０１３４】
すなわちバージンディスクが装填された場合、ＵＤＦの領域分、Ｒｚｏｎｅ１を予約し、また拡張ファイル、拡張管理情報、管理情報、ＶＭＧ、ＶＴＳＩ、ＶＴＳＭ　ＶＯＢＳを記録する分、Ｒｚｏｎｅ２を予約し、残りをＩｎｖｉｓｉｂｌｅ　Ｒｚｏｎｅに予約する（図９（Ａ））。
【０１３５】
動画ファイルを記録する場合には、Ｉｎｖｉｓｉｂｌｅ　Ｒｚｏｎｅに順次追記し、またその都度、Ｉｎｖｉｓｉｂｌｅ　Ｒｚｏｎｅを閉じてＩｎｖｉｓｉｂｌｅ　Ｒｚｏｎｅを予約し直す（図９（Ｂ）及び（Ｃ））。またメモリに管理情報を記録して保持し、静止画モードへの動作モードの切り換えにより、このようにメモリに保持した管理情報をＲｚｏｎｅ２の未記録領域に記録する（図９（Ｄ））。
【０１３６】
また静止画ファイル等の拡張ファイルを記録する場合には、Ｒｚｏｎｅ２に順次記録し（図９（Ｅ））、またメモリに拡張管理情報を保持し、静止画モードの終了によりこの拡張管理情報をＲｚｏｎｅ２に記録する。またさらに動画ファイル、静止画ファイルの記録が指示されると、それぞれＩｎｖｉｓｉｂｌｅ　Ｒｚｏｎｅ、Ｒｚｏｎｅ２にこれらを記録し、またこれに対応するように管理情報、拡張管理情報を追記する（図９（Ｆ）及び（Ｇ））。
【０１３７】
また光ディスクを排出する場合には、このようにして記録した管理情報、拡張管理情報のうち、最新のものを指示するように、光ディスクに特定の領域に記録したアドレス情報を追記により更新する。
【０１３８】
またユーザーによるファイナライズの指示により、このようにして記録した最新の管理情報、拡張管理情報によりＵＤＦ、ＶＭＧ等のデータを生成して光ディスクに記録する。またこれら複数の動画ファイルにより１つのＶＴＳを形成するように、ＶＴＳＩ等を記録する。
【０１３９】
図９に示すように、情報記録面を、内周側より、第１、第２、第３の領域に分割して管理し、第１の領域にＵＤＦ領域を割り当て、第２の領域の先頭領域に拡張ファイル用領域を割り当て、第２の領域の末尾側領域と第３の領域をＤＶＤビデオ用領域に割り当てることにより、光ディスク２の内周側に拡張ファイルを記録して、第１の実施の形態と同様の効果を得ることができる。
【０１４０】
（３）第３の実施の形態
図１０は、図４との対比により本発明の第３の実施の形態に係る光ディスク装置の動作の説明に供する図表である。この第３の実施の形態に係る光ディスク装置では、ＤＶＤ−ＲＷの光ディスクについて、図４について上述した手順に代えて、この図１０に示す手順により動画ファイル、拡張ファイルを記録する。なおこの第３の実施の形態に係る光ディスク装置においては、このＤＶＤ−ＲＷの光ディスクにおける処理が異なる点を除いて、第１の実施の形態の光ディスク装置と同一に構成されることにより、重複した説明は省略する。
【０１４１】
すなわちこの実施の形態においては、第１の実施の形態と同様に、光ディスクの情報記録面に、ＵＤＦ領域と、ＤＶＤビデオ用領域と、拡張ファイル用領域とを設定し、各領域に、第１の実施の形態と同様に、動画ファイル、静止画ファイル、管理情報、拡張管理情報を記録する。
【０１４２】
このような情報記録面の設定において、この実施の形態においては、パディングにより情報記録面の内周側に領域を確保し、ＵＤＦ領域をこのパディングによる領域の先頭領域に割り当て、ＤＶＤビデオ用領域をこのパディングによる領域の残る領域に割り当て、拡張ファイル用領域を、このパディングの領域に続く領域に割り当てる。
【０１４３】
すなわちバージンディスクが装填された場合、ＵＤＦの領域、ＤＶＤビデオ用領域ＤＶＤ−Ｖｉｄｅｏ　Ｚｏｎｅの分、パディングにより領域を確保する（図１０（Ａ））。
【０１４４】
動画ファイルを記録する場合には、このようにして確保したパディングの先頭領域から、ＵＤＦ、ＶＭＧ、ＶＴＳＩ、ＶＴＳＭ　ＶＯＢＳの分だけ間を開けて、このパディングの領域に順次動画ファイルを記録し（図１０（Ｂ）及び（Ｃ））、この動画ファイルの記録に対応するようにメモリに管理情報を記録して保持する。また静止画モードへの動作モードの切り換えにより、このようにメモリに保持した管理情報をパディングに続く未記録領域に記録する（図１０（Ｄ））。
【０１４５】
また静止画ファイル等の拡張ファイルを記録する場合には、拡張管理情報の分だけパディングにより領域を確保した後、続く未記録領域に順次追記し（図１０（Ｅ））、またメモリに拡張管理情報を保持する。また静止画モードの終了によりパディングにより確保した領域にメモリに保持した拡張管理情報を記録する（図１０（Ｆ））。またさらに動画ファイル、静止画ファイルの記録が指示されると、それぞれ動画ファイル、拡張ファイルを追記し、またこれに対応するように管理情報、拡張管理情報を上書きにより更新する（図１０（Ｇ）及び（Ｈ））。
【０１４６】
また光ディスクを排出する場合には、このようにして記録した管理情報、拡張管理情報を指示するように、光ディスクに特定の領域にアドレス情報を記録する。
【０１４７】
またユーザーによるファイナライズの指示により、このようにして記録した管理情報、拡張管理情報によりＵＤＦ、ＶＭＧ等のデータを生成して光ディスクに記録する。またこれら複数の動画ファイルにより１つのＶＴＳを形成するように、ＶＴＳＩ等を記録する。
【０１４８】
図１０に示すように、パディングにより情報記録面の内周側に領域を確保し、ＵＤＦ領域をこのパディングによる領域の先頭領域に割り当て、ＤＶＤビデオ用領域をこのパディングによる領域の残る領域に割り当て、拡張ファイル用領域をパディングの領域に続く領域に割り当てることにより、光ディスク２の外周側に拡張ファイルを記録して、第１の実施の形態と同様の効果を得ることができる。
【０１４９】
（４）他の実施の形態
なお上述の実施の形態においては、単に光ディスクに動画ファイル、拡張ファイルを記録する場合について述べたが、本発明はこれに限らず、光ディスクに記録した動画ファイル、拡張ファイルを削除、更新する場合にも広く適用することができる。なおＤＶＤ−Ｒ、ＤＶＤ−ＲＷにおいては、管理情報の変更により光ディスクに記録された対応するファイルを削除したものと取り扱うことができる。またＤＶＤ−Ｒにおいては、更新に係るファイルを追記し、それまで記録されているファイルに代えてこの追記したファイルを有効なものとするように管理情報を設定することにより、ＤＶＤ−ＲＷにおいては、同様の処理により、又は上書きにより更新することにより、これらファイルの更新処理を実行することができる。
【０１５０】
また上述の実施の形態においては、動画モード、静止画モードの切り換えにより、管理情報、拡張管理情報を光ディスクに記録する場合について述べたが、本発明はこれに限らず、管理情報、拡張管理情報を光ディスクに記録するタイミングにおいては、例えば光ディスク２の排出時、光ディスク装置の電源立ち下げ時等、必要に応じて適宜設定することができる。
【０１５１】
また上述の実施の形態においては、ＤＶＤ−Ｒへの記録においては、それまで光ディスクに記録されているファイルについて、まとめて管理情報、拡張管理情報を形成し、追記する場合について述べたが、本発明はこれに限らず、新たに記録したファイルにより管理情報、拡張管理情報を形成して追記するようにし、光ディスクに記録された複数の管理情報、拡張管理情報により光ディスクに記録された動画ファイル、拡張ファイルを管理するようにしてもよい。
【０１５２】
また上述の実施の形態においては、光ディスクに記録された複数の動画ファイルをまとめて１つのＶＴＳを作成する場合について述べたが、本発明はこれに限らず、複数のＶＴＳを設けるようにしてもよい。
【０１５３】
また上述の実施の形態においては、拡張ファイルとして静止画ファイルを記録する場合について述べたが、本発明はこれに限らず、例えばテキストファイル、図形ファイル等、種々のファイルを拡張ファイルとして記録する場合に広く適用することができる。
【０１５４】
また上述の実施の形態においては、光ディスク装置に事前にインストールされた処理プログラムにより一連の処理を実行する場合について述べたが、本発明はこれに限らず、インターネット等のネットワークを介してダウンロードしたプログラムのインストールによりこの種の処理手順を実行する場合、さらには各種の記録媒体により提供されるプログラムのインストールによりこの種の処理手順を実行する場合等にも広く適用することができる。なおこのような記録媒体としては、磁気ディスク、光ディスク、磁気テープ等の記録媒体を適用することができる。
【０１５５】
また上述の実施の形態においては、撮像機構を有してなる光ディスク装置に本発明を適用する場合について述べたが、本発明はこれに限らず、コンピュータのアプリケーションプログラムによりこの種の処理を実行する場合等にも広く適用することができる。
【０１５６】
【発明の効果】
上述のように本発明によれば、光ディスクの情報記録面に、ＵＤＦ領域と、ＤＶＤビデオ用領域と、拡張ファイル用領域とを設定し、拡張ファイル、拡張ファイルの再生に必要な情報を拡張ファイル用領域に記録することにより、ＤＶＤビデオフォーマットと互換性を維持しつつ、動画ファイル以外の静止画ファイル等についても記録することができる。
【図面の簡単な説明】
【図１】本発明の第１の実施の形態に係る光ディスク装置におけるＤＶＤ−Ｒの処理の説明に供する図表である。
【図２】本発明の第１の実施の形態に係る光ディスク装置を示すブロック図である。
【図３】図２の光ディスク装置における拡張ファイルの記録の説明に供する図表である。
【図４】図２の光ディスク装置におけるＤＶＤ−ＲＷの処理の説明に供する図表である。
【図５】拡張管理情報の説明に供する図表である。
【図６】図１の光ディスク装置における処理手順を示すフローチャートである。
【図７】図６の処理手順における記録処理手順を示すフローチャートである。
【図８】図６の処理手順における再生処理手順を示すフローチャートである。
【図９】本発明の第２の実施の形態に係る光ディスク装置におけるＤＶＤ−Ｒの処理の説明に供する図表である。
【図１０】本発明の第３の実施の形態に係る光ディスク装置におけるＤＶＤ−ＲＷの処理の説明に供する図表である。
【図１１】ＤＶＤビデオフォーマットの説明に供する図表である。
【図１２】ＩＮＣ方式による記録の説明に供する図表である。
【図１３】ＲＯＷ方式による記録の説明に供する図表である。
【符号の説明】
１……光ディスク装置、２……光ディスク、４……マイコン、６……圧縮／伸長処理部
【図１】
2004022043.tif 000003
【図２】
2004022043.tif 000004
【図３】
2004022043.tif 000005
【図４】
2004022043.tif 000006
【図５】
2004022043.tif 000007
【図６】
2004022043.tif 000008
【図７】
2004022043.tif 000009
【図８】
2004022043.tif 000010
【図９】
2004022043.tif 000011
【図１０】
2004022043.tif 000012
【図１１】
2004022043.tif 000013
【図１２】
2004022043.tif 000014
【図１３】
2004022043.tif 000015